(57)【要約】  通信チャネルでの送信のための物理層周波数重複モードのデータユニット（ＰＨＹ周波数重複モードのデータユニット）を生成する際に、ＰＨＹ周波数重複モードのデータユニットのプリアンブルを生成する。プリアンブルは、信号フィールドを含み、プリアンブルは、受信機が、プリアンブルの信号フィールドをデコードする前に、データユニットが周波数重複モードのタイプのデータユニットであると判断することができるよう設定される。ＰＨＹ周波数重複モードのデータユニットのペイロードが生成され、ＰＨＹ周波数重複モードのデータユニットが送信される。【選択図】図４
2015502710.tif 000002
【特許請求の範囲】
【請求項１】
通信チャネルでの送信のための物理層周波数重複モードのデータユニット（ＰＨＹ周波数重複モードのデータユニット）を生成する方法であって、
前記ＰＨＹ周波数重複モードのデータユニットのプリアンブルを生成する段階であって、前記プリアンブルは、信号フィールドを含み、前記プリアンブルは、受信機が、前記プリアンブルの前記信号フィールドをデコードする前に、前記データユニットが周波数重複モードのタイプのデータユニットであると判断することができるように設定される、段階と、
前記ＰＨＹ周波数重複モードのデータユニットのペイロードを生成する段階と、
前記ＰＨＹ周波数重複モードのデータユニットを送信させる段階と
を備える、方法。
【請求項２】
前記プリアンブルを生成する段階は、
前記プリアンブルのトレーニングフィールドを生成する段階を有し、
前記プリアンブルの前記トレーニングフィールドは、非周波数重複モードのデータユニットにおいて、前記非周波数重複モードのデータユニットの対応する位置で利用されるトレーニングフィールドと異なる、請求項１に記載の方法。
【請求項３】
前記プリアンブルの前記トレーニングフィールドは、非周波数重複モードのデータユニットにおいて、前記非周波数重複モードのデータユニットの対応する位置で利用されるトレーニングフィールドと直交する、または、略直交する、請求項２に記載の方法。
【請求項４】
前記プリアンブルを生成する段階は、
前記プリアンブルのフィールドを、非周波数重複モードのデータユニットにおいて、前記非周波数重複モードのデータユニットの対応する位置のフィールドを変調するために利用される第２の変調技術とは異なる第１の変調技術を利用して変調する段階を有する、請求項１から３のいずれか一項に記載の方法。
【請求項５】
前記第１の変調技術は、（ｉ）二位相偏移変調（ＢＰＳＫ）または（ｉｉ）四二位相偏移変調（ＱＢＰＳＫ）の一方であり、
前記第２の変調技術は、（ｉ）ＢＰＳＫまたは（ｉｉ）ＱＢＰＳＫの他方である、請求項４に記載の方法。
【請求項６】
前記プリアンブルを生成する段階は、
前記プリアンブルの第１のトレーニングフィールドを生成する段階であって、前記プリアンブルの前記第１のトレーニングフィールドは、第１の非周波数重複モードのデータユニットにおいて、前記第１の非周波数重複モードのデータユニットの対応する位置で利用されるトレーニングフィールドとは異なる、生成する段階と、
（ｉ）前記プリアンブルの第２のトレーニングフィールド、または、（ｉｉ）前記プリアンブルの信号フィールドの一方を、第２の非周波数重複モードのデータユニットにおける、前記第２の非周波数重複モードのデータユニットの対応する位置のフィールドを変調するために利用される第２の変調技術とは異なる第１の変調技術を利用して、変調する段階と
を有する、請求項１に記載の方法。
【請求項７】
前記第１の非周波数重複モードのデータユニットは、前記ＰＨＹ周波数重複モードのデータユニットの帯域幅と等しい帯域幅を有し、
前記第２の非周波数重複モードのデータユニットは、前記ＰＨＹ周波数重複モードのデータユニットの前記帯域幅の一部と等しい帯域幅を有する、請求項６に記載の方法。
【請求項８】
前記第１の非周波数重複モードのデータユニットは、前記ＰＨＹ周波数重複モードのデータユニットの帯域幅の一部と等しい帯域幅を有し、
前記第２の非周波数重複モードのデータユニットは、前記ＰＨＹ周波数重複モードのデータユニットの前記帯域幅と等しい帯域幅を有する、請求項６に記載の方法。
【請求項９】
前記ＰＨＹ周波数重複モードのデータユニットを送信させる段階は、
前記ＰＨＹ周波数重複モードのデータユニットの残りの部分より高い電力で、前記プリアンブルのトレーニングフィールドを送信させる段階を有する、請求項１から８のいずれか一項に記載の方法。
【請求項１０】
前記ＰＨＹ周波数重複モードのデータユニットを送信させる段階は、
前記ＰＨＹ周波数重複モードのデータユニットの前記残りの部分の電力より３ｄB高い電力で、前記プリアンブルの前記トレーニングフィールドを送信させる段階を有する、請求項９に記載の方法。
【請求項１１】
通信チャネルでの送信のための物理層周波数重複モードのデータユニット（ＰＨＹ周波数重複モードのデータユニット）を生成する装置であって、
ネットワークインタフェースを備え、
前記ネットワークインタフェースは、
前記ＰＨＹ周波数重複モードのデータユニットのプリアンブルを生成し、前記プリアンブルは、信号フィールドを含み、前記プリアンブルは、受信機が、前記プリアンブルの前記信号フィールドをデコードする前に、前記データユニットが周波数重複モードのタイプのデータユニットであると判断することができるように設定され、
前記ネットワークインタフェースは、
前記ＰＨＹ周波数重複モードのデータユニットのペイロードを生成し、
前記ＰＨＹ周波数重複モードのデータユニットを送信する、装置。
【請求項１２】
前記ネットワークインタフェースは、前記プリアンブルのトレーニングフィールドを生成し、
前記プリアンブルの前記トレーニングフィールドは、非周波数重複モードのデータユニットにおいて、前記非周波数重複モードのデータユニットの対応する位置で利用されるトレーニングフィールドと異なる、請求項１１に記載の装置。
【請求項１３】
前記プリアンブルの前記トレーニングフィールドは、非周波数重複モードのデータユニットにおいて、前記非周波数重複モードのデータユニットの対応する位置で利用されるトレーニングフィールドと直交する、または、略直交する、請求項１２に記載の装置。
【請求項１４】
前記ネットワークインタフェースは、前記プリアンブルのフィールドを、非周波数重複モードのデータユニットにおいて、前記非周波数重複モードのデータユニットの対応する位置のフィールドを変調するために利用される第２の変調技術とは異なる第１の変調技術を利用して変調する、請求項１１から１３のいずれか一項に記載の装置。
【請求項１５】
前記第１の変調技術は、（ｉ）二位相偏移変調（ＢＰＳＫ）または（ｉｉ）四二位相偏移変調（ＱＢＰＳＫ）の一方であり、
前記第２の変調技術は、（ｉ）ＢＰＳＫまたは（ｉｉ）ＱＢＰＳＫの他方である、請求項１４に記載の装置。
【請求項１６】
前記ネットワークインタフェースは、前記プリアンブルの第１のトレーニングフィールドを生成して、前記プリアンブルの前記第１のトレーニングフィールドは、第１の非周波数重複モードのデータユニットにおいて、前記第１の非周波数重複モードのデータユニットの対応する位置で利用されるトレーニングフィールドとは異なり、
前記ネットワークインタフェースは、（ｉ）前記プリアンブルの第２のトレーニングフィールド、または、（ｉｉ）前記プリアンブルの信号フィールドの一方を、第２の非周波数重複モードのデータユニットにおける、前記第２の非周波数重複モードのデータユニットの対応する位置のフィールドを変調するために利用される第２の変調技術とは異なる第１の変調技術を利用して、変調する、請求項１１に記載の装置。
【請求項１７】
前記第１の非周波数重複モードのデータユニットは、前記ＰＨＹ周波数重複モードのデータユニットの帯域幅と等しい帯域幅を有し、
前記第２の非周波数重複モードのデータユニットは、前記ＰＨＹ周波数重複モードのデータユニットの前記帯域幅の一部と等しい帯域幅を有する、請求項１６に記載の装置。
【請求項１８】
前記第１の非周波数重複モードのデータユニットは、前記ＰＨＹ周波数重複モードのデータユニットの帯域幅の一部と等しい帯域幅を有し、
前記第２の非周波数重複モードのデータユニットは、前記ＰＨＹ周波数重複モードのデータユニットの前記帯域幅と等しい帯域幅を有する、請求項１６に記載の装置。
【請求項１９】
前記ネットワークインタフェースは、前記ＰＨＹ周波数重複モードのデータユニットの残りの部分より高い電力で、前記プリアンブルのトレーニングフィールドを送信する、請求項１１から１８のいずれか一項に記載の装置。
【請求項２０】
前記ネットワークインタフェースは、前記ＰＨＹ周波数重複モードのデータユニットの前記残りの部分の電力より３ｄB高い電力で、前記プリアンブルの前記トレーニングフィールドを送信する、請求項１９に記載の装置。
【発明の詳細な説明】
【技術分野】
【０００１】
関連出願の相互参照
本開示は、２０１１年１１月１６日に提出した米国仮特許出願第61/560,733号の恩恵を主張しており、この開示をここに参照として組み込む。
【０００２】
本開示は、概して通信ネットワークに関し、より詳しくは、レンジを拡張し、及び／または、受信状態を向上させるために、周波数領域における重複を利用する無線ローカルエリアネットワークに関する。
【背景技術】
【０００３】
本明細書に記載する背景技術の説明は、本開示がどのような文脈で為されたかの概要を説明する目的で記載するものである。本願の発明者として名前を挙げているものの研究内容は、この背景技術のセクションに記載されている限りにおいて、出願時に従来技術と認められない部分と同様に、本開示に対する従来技術として明示的にも暗示的にも認めるものではない。
【０００４】
インフラストラクチャーモードで動作するとき、無線ローカルエリアネットワーク（ＷＬＡＮ）は通常、アクセスポイント（ＡＰ）と１以上のクライアントステーションとを含む。ＷＬＡＮ技術は過去１０年に亘り急速に発展してきた。ＩＥＥＥ（Ｉｎｓｔｉｔｕｔｅ  ｆｏｒ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ、８０２．１１ｂ、８０２．１１ｇ、および８０２．１１ｎ規格などのＷＬＡＮ規格の開発により、シングルユーザのピークデータスループットが改善された。例えば、ＩＥＥＥ８０２．１１ｂ規格は、１１メガビット毎秒（Mbps）のシングルユーザのピークスループットを規定し、ＩＥＥＥ８０２．１１ａおよび８０２．１１ｇ規格は、５４Mbpsのシングルユーザのピークスループットを規定し、ＩＥＥＥ８０２．１１ｎ規格は、６００Mbpsのシングルユーザのピークスループットを規定しており、ＩＥＥＥ８０２．１１ａｃ規格は、ギガビット毎秒（Gbps）レンジのシングルユーザのピークスループットを規定している。
【０００５】
新たな２つの規格であるＩＥＥＥ８０２．１１ａｈおよびＩＥＥＥ８０２.１１ａｆの開発も始まっており、これらはそれぞれ、サブ１ＧＨｚ周波数の無線ネットワーク動作を規定している。通常、高い周波数の送信に比べて、低い周波数の通信チャネルは、伝播品質がよく、伝播レンジも広くなる。サブ１ＧＨｚレンジは、今までのところ無線通信ネットワークには利用されてこなかったが、これは、これらの周波数が、他の用途に割り当てられていたからである（例えば認可されているＴＶ周波数帯域、ラジオ周波数帯域等に割り当てられていた）。今日では、認可されずに残っているサブ１ＧＨｚレンジの周波数帯域は少なく、地理的領域に応じて認可されずに残っている周波数は異なっている。ＩＥＥＥ８０２.１１ａｈ規格は、利用可能な無認可サブ１ＧＨｚ周波数帯域における無線動作を規定している。ＩＥＥＥ８０２.１１ａｆ規格は、ＴＶホワイトスペース（ＴＶＷＳ）（つまり、サブ１ＧＨｚ周波数帯域における未使用ＴＶチャネルのこと）における無線動作を規定する。
【発明の概要】
【０００６】
一実施形態では、通信チャネルを介して送信するための物理層（PHY）周波数重複モードのデータユニットを生成するための方法が、ＰＨＹ周波数重複モードのデータユニットのプリアンブルを生成することを含み、プリアンブルは、信号フィールドを含み、プリアンブルは、プリアンブルの信号フィールドのデコードの前に、受信機が、データユニットが、周波数重複モードのタイプのデータユニットであると決定することができるように構成される。方法はさらに、ＰＨＹ周波数重複モードのデータユニットのペイロードを生成することを含み、ＰＨＹ周波数重複モードのデータユニットを送信させることを含む。
【０００７】
他の実施形態では、方法が、以下の特徴の１以上を含む。
【０００８】
プリアンブルを生成する段階は、プリアンブルのトレーニングフィールドを生成する段階を有し、プリアンブルのトレーニングフィールドは、非周波数重複モードのデータユニットにおいて、非周波数重複モードのデータユニットの対応する位置で利用されるトレーニングフィールドと異なる。
【０００９】
プリアンブルのトレーニングフィールドは、非周波数重複モードのデータユニットにおいて、非周波数重複モードのデータユニットの対応する位置で利用されるトレーニングフィールドと直交する、または、略直交する。
【００１０】
プリアンブルを生成する段階は、プリアンブルのフィールドを、非周波数重複モードのデータユニットにおいて、非周波数重複モードのデータユニットの対応する位置のフィールドを変調するために利用される第２の変調技術とは異なる第１の変調技術を利用して変調する段階を有する。
【００１１】
第１の変調技術は、（ｉ）二位相偏移変調（ＢＰＳＫ）または（ｉｉ）四二位相偏移変調（ＱＢＰＳＫ）の一方であり、第２の変調技術は、（ｉ）ＢＰＳＫまたは（ｉｉ）ＱＢＰＳＫの他方である。
【００１２】
プリアンブルを生成する段階は、プリアンブルの第１のトレーニングフィールドを生成する段階であって、プリアンブルの第１のトレーニングフィールドは、第１の非周波数重複モードのデータユニットにおいて、第１の非周波数重複モードのデータユニットの対応する位置で利用されるトレーニングフィールドとは異なる、生成する段階と、（ｉ）プリアンブルの第２のトレーニングフィールド、または、（ｉｉ）プリアンブルの信号フィールドの一方を、第２の非周波数重複モードのデータユニットにおける、第２の非周波数重複モードのデータユニットの対応する位置のフィールドを変調するために利用される第２の変調技術とは異なる第１の変調技術を利用して、変調する段階と
を有する。
【００１３】
第１の非周波数重複モードのデータユニットは、ＰＨＹ周波数重複モードのデータユニットの帯域幅と等しい帯域幅を有し、第２の非周波数重複モードのデータユニットは、ＰＨＹ周波数重複モードのデータユニットの帯域幅の一部と等しい帯域幅を有する。
【００１４】
第１の非周波数重複モードのデータユニットは、ＰＨＹ周波数重複モードのデータユニットの帯域幅の一部と等しい帯域幅を有し、第２の非周波数重複モードのデータユニットは、ＰＨＹ周波数重複モードのデータユニットの帯域幅と等しい帯域幅を有する。
【００１５】
ＰＨＹ周波数重複モードのデータユニットを送信させる段階は、ＰＨＹ周波数重複モードのデータユニットの残りの部分より高い電力で、プリアンブルのトレーニングフィールドを送信させる段階を有する。
【００１６】
ＰＨＹ周波数重複モードのデータユニットを送信させる段階は、ＰＨＹ周波数重複モードのデータユニットの残りの部分の電力より３ｄB高い電力で、プリアンブルのトレーニングフィールドを送信させる段階を有する。
【００１７】
別の実施形態では、通信チャネルでの送信のための物理層周波数重複モードのデータユニット（ＰＨＹ周波数重複モードのデータユニット）を生成する装置であって、ネットワークインタフェースを備え、ネットワークインタフェースは、ＰＨＹ周波数重複モードのデータユニットのプリアンブルを生成し、プリアンブルは、信号フィールドを含み、プリアンブルは、受信機が、プリアンブルの信号フィールドをデコードする前に、データユニットが周波数重複モードのタイプのデータユニットであると判断することができるように設定される、装置が提供される。ネットワークインタフェースは、さらに、ＰＨＹ周波数重複モードのデータユニットのペイロードを生成し、ＰＨＹ周波数重複モードのデータユニットを送信する。
【００１８】
他の実施形態では、装置が以下の特徴の１以上を含む。
【００１９】
ネットワークインタフェースは、プリアンブルのトレーニングフィールドを生成し、プリアンブルのトレーニングフィールドは、非周波数重複モードのデータユニットにおいて、非周波数重複モードのデータユニットの対応する位置で利用されるトレーニングフィールドと異なる。
【００２０】
プリアンブルのトレーニングフィールドは、非周波数重複モードのデータユニットにおいて、非周波数重複モードのデータユニットの対応する位置で利用されるトレーニングフィールドと直交する、または、略直交する。
【００２１】
ネットワークインタフェースは、プリアンブルのフィールドを、非周波数重複モードのデータユニットにおいて、非周波数重複モードのデータユニットの対応する位置のフィールドを変調するために利用される第２の変調技術とは異なる第１の変調技術を利用して変調する。
【００２２】
第１の変調技術は、（ｉ）二位相偏移変調（ＢＰＳＫ）または（ｉｉ）四二位相偏移変調（ＱＢＰＳＫ）の一方であり、第２の変調技術は、（ｉ）ＢＰＳＫまたは（ｉｉ）ＱＢＰＳＫの他方である。
【００２３】
ネットワークインタフェースは、プリアンブルの第１のトレーニングフィールドを生成して、プリアンブルの第１のトレーニングフィールドは、第１の非周波数重複モードのデータユニットにおいて、第１の非周波数重複モードのデータユニットの対応する位置で利用されるトレーニングフィールドとは異なり、ネットワークインタフェースは、（ｉ）プリアンブルの第２のトレーニングフィールド、または、（ｉｉ）プリアンブルの信号フィールドの一方を、第２の非周波数重複モードのデータユニットにおける、第２の非周波数重複モードのデータユニットの対応する位置のフィールドを変調するために利用される第２の変調技術とは異なる第１の変調技術を利用して、変調する。
【００２４】
第１の非周波数重複モードのデータユニットは、ＰＨＹ周波数重複モードのデータユニットの帯域幅と等しい帯域幅を有し、第２の非周波数重複モードのデータユニットは、ＰＨＹ周波数重複モードのデータユニットの帯域幅の一部と等しい帯域幅を有する。
【００２５】
第１の非周波数重複モードのデータユニットは、ＰＨＹ周波数重複モードのデータユニットの帯域幅の一部と等しい帯域幅を有し、第２の非周波数重複モードのデータユニットは、ＰＨＹ周波数重複モードのデータユニットの帯域幅と等しい帯域幅を有する。
【００２６】
ネットワークインタフェースは、ＰＨＹ周波数重複モードのデータユニットの残りの部分より高い電力で、プリアンブルのトレーニングフィールドを送信する。
【００２７】
ネットワークインタフェースは、ＰＨＹ周波数重複モードのデータユニットの残りの部分の電力より３ｄB高い電力で、プリアンブルのトレーニングフィールドを送信する。
【図面の簡単な説明】
【００２８】
【図１】或る実施形態における、周波数複製された物理層（PHY）データユニットを利用する無線ローカルエリアネットワーク（WLAN）の例のブロック図である。
【００２９】
【図２】或る実施形態における、通常モードおよび周波数重複モードのデータユニットを生成するためのＰＨＹ処理ユニットの或る例の一部を送信するブロック図である。
【００３０】
【図３Ａ】幾つかの実施形態における周波数重複モードのＰＨＹデータユニットの例を示す。
【図３Ｂ】幾つかの実施形態における周波数重複モードのＰＨＹデータユニットの例を示す。
【００３１】
【図４】或る実施形態における周波数重複モードのＰＨＹデータユニットの例を示す。
【００３２】
【図５】様々な実施形態における、周波数重複モードのＰＨＹデータユニットおよび非周波数重複モードのＰＨＹデータユニットの様々なフィールドを変調するために利用されるそれぞれ異なる変調技術を示す。
【００３３】
【図６】或る実施形態における、周波数重複モードのＰＨＹデータユニットの例および非周波数重複モードのＰＨＹデータユニットの例を示す。
【００３４】
【図７】或る実施形態における、周波数重複モードのＰＨＹデータユニットのプリアンブルの例および非周波数重複モードのＰＨＹデータユニットのプリアンブルの例を示す。
【００３５】
【図８】或る実施形態における、（i）周波数重複モードのＰＨＹデータユニットのプリアンブルの例、（ii）第１の非周波数重複モードのＰＨＹデータユニットのプリアンブルの例、及び、（iii）第２の非周波数重複モードのＰＨＹデータユニットのプリアンブルの例を示す。
【００３６】
【図９】或る実施形態における、周波数重複モードのＰＨＹデータユニットのプリアンブルの例および非周波数重複モードのＰＨＹデータユニットのプリアンブルの例を示す。
【００３７】
【図１０】或る実施形態における、周波数重複モードのＰＨＹデータユニットのプリアンブルの例および非周波数重複モードのＰＨＹデータユニットのプリアンブルの例を示す。
【００３８】
【図１１】或る実施形態における、（i）周波数重複モードのＰＨＹデータユニットのプリアンブルの例、（ii）第１の非周波数重複モードのＰＨＹデータユニットのプリアンブルの例、及び、（iii）第２の非周波数重複モードのＰＨＹデータユニットのプリアンブルの例を示す。
【発明を実施するための形態】
【００３９】
後述する実施形態では、無線ローカルエリアネットワーク（ＷＬＡＮ）のアクセスポイント（ＡＰ）等の無線ネットワークデバイスは、１以上のクライアントステーションにデータストリームを送信する。ＡＰは、少なくとも第１の通信プロトコルに従ってクライアントステーションに対する動作を行うように構成されている。第１の通信プロトコルは、サブ１ＧＨｚの周波数レンジの動作を規定しており、通常は、比較的低データレートの長距離無線通信を要する用途に利用される。第１の通信プロトコル（例えばIEEE 802.11afまたはIEEE 802.11ah）は、ここでは、「長距離」通信プロトコルと称される。幾つかの実施形態では、ＡＰはさらに、概して、より高い周波数レンジにおける動作を定義しており、および、より高いデータレートでの、より近距離の通信に利用される、１以上の他の通信プロトコルに従って、クライアントステーションと通信するよう構成されている。より高い周波数通信プロトコル（例えばIEEE 802.11a、IEEE 802.11n、および／または、IEEE 802.11ac）が、ここでは「短距離」通信プロトコルと総称される。幾つかの実施形態では、長距離通信プロトコルに準拠した物理層（PHY）データユニット（「長距離データユニット」）が、短距離通信プロトコルに準拠したデータユニット（「短距離データユニット」）と同じまたは類似しているが、より低いクロックレートを利用して生成されている。こうするべく、或る実施形態では、APは、短距離動作に適したクロックレートで動作を行い、ダウンクロックを利用して、サブ１GHｚの動作に利用されるクロックを生成する。この結果、或る実施形態では、長距離データユニットは、短距離データユニットの物理層フォーマットを維持するが、より長時間、送信される。
【００４０】
長距離通信プロトコルで規定される、この「通常モード」に加えて、幾つかの実施形態では、長距離通信プロトコルは、「周波数重複モード」も規定し、「周波数重複モード」では、１つの帯域幅部分で送信されるデータが複製され、１以上の更なる帯域部分で送信される。重複した情報が送信されるので、受信機は、重複を利用して、受信機の感度を向上させて、これによりさらにレンジを拡張させる。これは、例えば、規制上の要件によって、パワースペクトル密度（PSD）が制限されるような状況で有用である。例えば、PSDが制限されたときには、増加した帯域幅で信号を送信することによって、電力全体を増やすことができる。
【００４１】
幾つかの実施形態では、長距離通信プロトコルはさらに、最低帯域幅および通常モードについて規定されたデータレートと比較して、低減した帯域幅およびデータレートを持つ、「低帯域幅モード」も規定する。より低いデータレートによって、低帯域幅モードは、通信レンジを拡張させ、一般的には受信機の感度を向上させる。低帯域幅モードに対応しているデータユニットは、通常モードに対応するデータユニットと同じクロックレートを利用して生成される（例えば、通常モードのデータユニットについて利用されるものと同じ比率でダウンクロックされる）。
【００４２】
幾つかの実施形態では、通常モード及び／または周波数重複モードは、複数のPHYサブモードを含む。一実施形態では、例えば、通常モードが、２ＭＨｚデータユニットに対応する第１のサブモード、４ＭＨｚデータユニットに対応する第２のサブモードを含む、等々である。周波数重複モードのデータユニットの第１のサブモードは、２ＭＨｚ帯域幅幅の信号に複製された１ＭＨｚデータ信号に対応しており、周波数重複モードの第２のサブモードは、４ＭＨｚ帯域幅の信号に複製された１ＭＨｚデータ信号に対応している。別の実施形態では、周波数重複モードも、同様に、単一の帯域幅をもつ単一モードのみを含む。
【００４３】
図１は、或る実施形態における、ＷＬＡＮ１０の例のブロック図である。ＡＰ１４は、ネットワークインタフェース１６に連結されたホストプロセッサ１５を含む。ネットワークインタフェース１６は、媒体アクセス制御（ＭＡＣ）処理ユニット１８と、物理層（ＰＨＹ）処理ユニット２０とを含む。ＰＨＹ処理ユニット２０は、複数の送受信機２１を含み、当該複数の送受信機２１が、複数のアンテナ２４に連結されている。３つの送受信機２１および３つのアンテナ２４が図１には示されているが、ＡＰ１４は、他の実施形態では異なる数の（例えば１、２、４、５等）送受信機２１およびアンテナ２４を含んでよい。
【００４４】
ＷＬＡＮ１０は、さらに、複数のクライアントステーション２５を含む。図１には４つのクライアントステーション２５が示されているが、ＷＬＡＮ１０は、様々なシナリオおよび実施形態においては、異なる数の（例えば１、２、３、５、６等）のクライアントステーション２５を含んでよい。クライアントステーション２５の少なくとも１つは（例えばクライアントステーション２５−１）、少なくとも長距離通信プロトコルに従って動作するよう構成されている。幾つかの実施形態では、クライアントステーション２５の少なくとも１つ（例えばクライアントステーション２５−４）が、短距離通信プロトコルの１以上に少なくとも従って動作するよう構成された短距離クライアントステーションである。
【００４５】
クライアントステーション２５‐１は、ネットワークインタフェース２７に連結されているホストプロセッサ２６を含む。ネットワークインタフェース２７は、ＭＡＣ処理ユニット２８とＰＨＹ処理ユニット２９とを含む。ＰＨＹ処理ユニット２９は、複数の送受信機３０を含み、当該複数の送受信機３０は複数のアンテナ３４に連結されている。３つの送受信機３０と３つのアンテナ３４とが図１には示されているが、クライアントステーション２５‐１は、他の実施形態では、異なる数の（例えば１、２、４、５等）の送受信機３０およびアンテナ３４を含むことができる。
【００４６】
幾つかの実施形態では、クライアントステーション２５−２、２５−３、および２５−４のうち１つ、幾つか、または全てが、クライアントステーション２５−１と同じ、または類似した構造を有している。これらの実施形態では、クライアントステーション２５−１と同じ、または類似した構造のクライアントステーション２５が、同じまたは異なる数の送受信機およびアンテナを有している。例えば、クライアントステーション２５−２は、一実施形態では、２つの送受信機および２つのアンテナのみを有している。
【００４７】
様々な実施形態では、ＡＰ１４のＰＨＹ処理ユニット２０は、長距離通信プロトコルに準拠しており後述するフォーマットを有するデータユニットを生成するよう構成されている。送受信機（１または複数）２１は、アンテナ（１または複数）２４を介して、生成されたデータユニットを送信するよう構成されている。同様に、送受信機（１または複数）２１は、アンテナ（１または複数）２４を介してデータユニットを受信するよう構成されている。様々な実施形態では、ＡＰ１４のＰＨＹ処理ユニット２０は、長距離通信プロトコルに準拠しており後述するフォーマットを有する、受信したデータユニットを処理するよう構成されている。
【００４８】
様々な実施形態では、クライアントデバイス２５−１のＰＨＹ処理ユニット２９は、長距離通信プロトコルに準拠しており後述するフォーマットを有するデータユニットを生成するよう構成されている。送受信機（１または複数）３０は、アンテナ（１または複数）３４を介して、生成されたデータユニットを送信するよう構成されている。同様に、送受信機（１または複数）３０は、アンテナ（１または複数）３４を介してデータユニットを受信するよう構成されている。様々な実施形態では、クライアントデバイス２５−１のＰＨＹ処理ユニット２９は、長距離通信プロトコルに準拠しており後述するフォーマットを有する、受信されたデータユニットを処理するようにも構成されている。
【００４９】
幾つかの実施形態では、AP１４は、デュアルバンド構成で動作するよう構成されている。これらの実施形態では、AP１４は、短距離動作モードと長距離動作モードとの間を切り替えることができる。これらの実施形態の１つにおいては、短距離モードで動作するとき、AP１４は、短距離通信プロトコルの１以上に準拠したデータユニットを送信および受信する。長距離モードで動作するとき、AP１４は、長距離通信プロトコルに準拠したデータユニットを送信および受信する。同様に、幾つかの実施形態では、クライアントステーション２５−１は、デュアル周波数帯域動作を行うことができる。これら実施形態では、クライアントステーション２５−１は、短距離動作モードと長距離動作モードとの間を切り替えることができる。他の実施形態では、AP１４および／またはクライアントステーション２５−１は、長距離通信プロトコルによって長距離動作用に定義された様々な異なる低周波数帯域間で切り替えることができるデュアルバンドデバイスである。また別の実施形態では、AP１４および／またはクライアントステーション２５−１は、１つの長距離周波数帯域のみで動作するよう構成されたシングルバンドのデバイスである。
【００５０】
また別の実施形態では、クライアントステーション２５−１は、それぞれ異なる対応するＰＨＹモードをもつ異なる領域で動作することができるデュアルモードデバイスである。例えば、これらの実施形態の１つでは、クライアントステーション２５−１は、第１の領域（例えば、全電力に制限がかかる領域）で動作するとき、低帯域幅モードのＰＨＹを利用するよう構成されており、第２の領域（例えばPSDに制限がかかる領域）で動作するとき、周波数重複モードのＰＨＹを利用するよう構成されている。或る実施形態では、クライアントステーション２５−１は、送信機及び受信機の周波数重複モードと通常モードのベースバンド信号処理の間を切り替え、デジタルおよびアナログフィルタを切り替えて、各モードに適用可能な要件を満たすことで（例えば、送信機におけるスペクトルマスク要件および受信機における隣接するチャネルの干渉の要件）、それぞれ異なる領域の低帯域幅および周波数重複モード間を切り替えることができる。しかし、或る実施形態では、クロックレート等のハードウェアの設定は、周波数重複モード及び低帯域幅モード間を切り替えるときに変更されない。
【００５１】
幾つかの実施形態では、クライアントステーション２５−１は、それぞれ異なる周波数帯域のためのそれぞれ異なるＰＨＹモードで動作することができるデュアルモードデバイスである。例えばこれら実施形態の１つでは、クライアントステーション２５−１は、第１の周波数帯域域（例えば、総電力に制限がかかる周波数帯域）で動作するとき、低帯域幅モードのＰＨＹを利用するよう構成されており、第２の周波数帯域（例えばPSDに制限がかかる周波数帯域）で動作するとき、周波数重複モードのＰＨＹを利用するよう構成されている。
【００５２】
図２は、実施形態に係る、通常モードのデータユニットを生成するための例示的なＰＨＹ処理ユニット１００の送信部のブロック図である。図１を参照すると、一実施形態において、ＡＰ１４のＰＨＹ処理ユニット２０、およびクライアントステーション２５−１のＰＨＹ処理ユニット２９はそれぞれ、ＰＨＹ処理ユニット１００と同様である、または同じである。実施形態によると、ＰＨＹ処理ユニット１００は、一般的に情報ビットストリームをスクランブルして、１またはゼロの長いシーケンスの発生を低減するスクランブラ１０２を含む。スクランブラ１０２にはエンコーダパーサー１０４が連結されている。エンコーダパーサー２０８は、情報ビットストリームを１以上のＦＥＣエンコーダ１０６に対応する１以上のエンコーダ入力ストリームに逆多重化する。
【００５３】
図２には２つのＦＥＣエンコーダ１０６が示されているが、様々な他の実施形態、および／またはシナリオにおいては、異なる数のＦＥＣエンコーダが含まれ、および／または、異なる数のＦＥＣエンコーダが並行して動作する。例えば、或る実施形態では、ＰＨＹ処理ユニット１００が、１つのＦＥＣエンコーダ１０６のみを含む。別の例では、或る実施形態では、ＰＨＹ処理ユニット１００は、４つのＦＥＣエンコーダ１０６、および、１つ、２つ、３つ、または４つのＦＥＣエンコーダ１０６が、特定の変調符号化方式（ＭＣＳ）、帯域幅、および空間ストリームの数に応じて同時に動作する。各ＦＥＣエンコーダ１０６は、対応する入力ストリームをエンコードして、対応するエンコードされたストリームを生成する。一実施形態において、各ＦＥＣエンコーダ１０６は、バイナリ畳み込みエンコーダ（ＢＣＣ）を含む。他の実施形態において、各ＦＥＣエンコーダ１０６は、パンクチャリングブロックがその後に続くＢＣＣを有する。他の実施形態において、各ＦＥＣエンコーダ１０６は、低密度パリティチェック（ＬＤＰＣ）エンコーダを含む。
【００５４】
ストリームパーサ１０８は、別個のインターリーブおよびコンスタレーションポイント／シンボルへのマッピングのために１以上のエンコードされたストリームを１以上の空間ストリーム（例えば、図２に示される例示的なＰＨＹ処理ユニット１００において４個のストリーム）へパースする。一実施形態において、ストリームパーサ１０８は省略されてもよい。
【００５５】
ＮＳＳ個の空間ストリームのうちそれぞれに対応し、隣り合う雑音のあるビットからなる長いシーケンスが受信機においてデコーダに入るのを防ぐべく、インターリーバ１１０は空間ストリームのビットをインターリーブする（つまり、ビットの順番を変更する）。より詳細には、インターリーバ１１０は、隣り合うコードされたビットを、周波数領域において、または時間領域において、隣り合わない位置にマッピングする。実施形態においてインターリーバ１１０は、ＩＥＥＥ８０２．１１ｎ通信プロトコルに従って動作する（つまり、複数のビットを異なるストリームに異なる方法で、周期的にシフトするべための、各データストリームにおいて２度の周波数置換、および、３番目の置換）。パラメータＮｃｏｌ、Ｎｒｏｗ、Ｎｒｏｔ（つまり、それぞれ列数、行数、および周波数回転パラメータ）が、長距離の通常モードのデータユニットの帯域幅に基づいた適切な値である点が異なる。図２には４つのインターリーバ１１０が示されているが、他の実施形態では、他の適切な数のインターリーバ（例えば１、２、３、５、６個等）が利用される。
【００５６】
また各空間ストリームに対応して、コンスタレーションマッパー１１２は、複数のビットから成るインターリーブされたシーケンスを、ＯＦＤＭシンボルの異なるサブ搬送波／トーンに対応するコンスタレーションポイントへマッピングする。より詳細には実施形態において、各空間ストリームに関し、コンスタレーションマッパー１１２はｌｏｇ２（Ｍ）の長さの全てのビットシーケンスをＭ個のコンスタレーションポイントのうち１つに変換する。コンスタレーションマッパー１１２は用いられているＭＣＳに応じて異なる数のコンスタレーションポイントを扱う。実施形態において、コンスタレーションマッパー１１２は、Ｍ＝２、４、１６、６４、２５６、および１０２４個のコンスタレーションポイントを扱う直交振幅変調（ＱＡＭ）マッパーである。  他の実施形態において、コンスタレーションマッパー１１２は、｛２，４，１６，６４，２５６，１０２４｝のセットの少なくとも２つの値から成る異なるサブセットに等しいＭに対応する異なる変調方式を扱う。
【００５７】
実施形態では、各コンスタレーションマッパー１１２は、Ｍ個のコンスタレーションポイントを複製して、セット内にｋＭ個を有するコンスタレーションポイントのセットを作成するよう構成され、ここでｋは、周波数重複動作モードにおいて適切な正の整数（例えば２、４、８等）である。ｋＭ個のコンスタレーションポイントは、次に、Ｍ個のコンスタレーションポイントに対応するデータユニットと比較して、より広い帯域幅、および、より多いサブ搬送波をもつデータユニットを生成するために利用されるが、これに関しては後で詳述する。
【００５８】
実施形態において、時空間ブロックコード（ＳＴＢＣ）ユニット１１４は、１以上の空間ストリームに対応するコンスタレーションポイントを受信し、当該空間ストリームを複数（ＮＳＴＳ）の時空間ストリームに拡散させる。いくつかの実施形態において、ＳＴＢＣユニット１１４は省略される。ＳＴＢＣユニット１１４には循環シフトダイバーシティ（ｃｙｃｌｉｃ  ｓｈｉｆｔ  ｄｉｖｅｒｓｉｔｙ）（ＣＳＤ）ユニット１１６が連結されている。ＣＳＤユニット１１６は、意図しないビーム形成を防ぐべく、１つを除いた残りの全ての時空間ストリーム（１より多い時空間ストリームが存在する場合）に循環シフトを挿入する。説明を分かりやすくするべく、ＣＳＤユニット１１６への入力は、ＳＴＢＣユニット１１４が省略された実施形態においても時空間ストリームと呼ぶ。幾つかの実施形態では、ＣＳＤユニット１１６が省略され、または、３以外の異なる適切な数のＣＳＤユニット１１６が利用される。
【００５９】
空間マッピングユニット１２０は、ＮＳＴＳ個の時空間ストリームをＮＴＸ個の送信チェーンへマッピングする。様々な実施形態において、空間マッピングは、１）各時空間ストリームからのコンスタレーションポイントが送信チェーンへ直接的にマッピングされる直接マッピング（つまり１対１のマッピング）、２）全ての時空間ストリームからのコンスタレーションポイントのベクトルが行列の乗算を用いて拡大され、送信チェーンへの入力が生成される空間的拡大、３）全ての時空間ストリームからのコンスタレーションポイントの各ベクトルがステアリングベクトルの行列により乗算され、送信チェーンへの入力が生成されるビーム形成のうち１以上を含む。空間マッピングユニット１２０の各出力は１個の送信チェーンに対応し、空間マッピングユニット１２０の各出力は、複数のコンスタレーションポイントからなるブロックを時間領域信号へ変換するＩＤＦＴ計算ユニット１２２（例えば、逆高速フーリエ変換（ＩＦＦＴ）計算ユニット）により処理が行われる。幾つかの実施形態では、空間マッピングユニット１２０が省略される。幾つかの実施形態では、４以外の異なる適切な数のＩＤＦＴユニット１２２が利用される。
【００６０】
ＩＤＦＴユニット１２２の出力は、実施形態においてＯＦＤＭシンボルの円形の拡張であるガードインターバル（ＧＩ）部分をＯＦＤＭシンボルへプリペンドし、スペクトル遅延を増加させるべくＯＦＤＭシンボルのエッジを滑らかにするＧＩ挿入／ウィンドウイングユニット１２４へ提供される。幾つかの実施形態では、４以外の異なる適切な数のＧＩ挿入／ウィンドウイングユニット１２４が利用される。
【００６１】
ＧＩ挿入／ウィンドウイングユニット１２４の出力は、信号をアナログ信号へ変換し、信号をＲＦ周波数にアップコンバートして送信するアナログ／無線周波数（ＲＦ）ユニット１２６へ提供される。様々な実施形態、および／またはシナリオにおいて信号は、２ＭＨｚ、４ＭＨｚ、８ＭＨｚ、または１６ＭＨｚの帯域幅のチャネル（例えば、ユニット１２２におけるそれぞれ６４、１２８、２５６、または５１２ポイントのＩＤＦＴに対応している）で送信される。他の実施形態において、他の適したチャネル帯域幅（および／またはＩＤＦＴのサイズ）が用いられる。幾つかの実施形態では、４以外の異なる適切な数のＲＦユニット１２６が利用される。
【００６２】
周波数重複モードの通信は一般的に、通常モードの通信よりもさらにロバストであり、より長い距離及び／またはより低い誤り率の通信をサポートする感度ゲインを有する。例えば、通常モードが通常モードのデータユニットを生成するのに６４ポイントのＩＤＦＴ（例えば、２ＭＨｚの帯域幅の信号のために）を用い、周波数重複モードが３２ポイントのＩＤＦＴ（例えば、１ＭＨｚの帯域幅の信号のために）を用いる実施形態においては、３２ポイントのＩＤＦＴを一度複製して、２ＭＨｚの帯域幅をもつ周波数重複モードのデータユニットが生成される。他の例として、通常モードが通常モードのデータユニットを生成するのに１２８ポイントのＩＤＦＴ（例えば、４ＭＨｚの帯域幅の信号のために）を用い、周波数重複モードが３２ポイントのＩＤＦＴ（例えば、１ＭＨｚの帯域幅の信号のために）を用いる実施形態においては、３２ポイントのＩＤＦＴを三度複製して、４ＭＨｚの帯域幅をもつ周波数重複モードのデータユニットが生成される。
【００６３】
幾つかの実施形態においては、周波数重複モードのデータユニットを生成するためにＡＰ１４及び／またはクライアントステーション２５が利用するＰＨＹ処理ユニットは、一般的に、図２のＰＨＹ処理ユニット１００と同じハードウェアに対応しているが、通常モードのデータユニットまたは周波数重複モードのデータユニットのいずれを生成するかによって、ハードウェア内で異なる信号処理動作が用いられる。これらの実施形態の幾つかでは、周波数重複モードのデータユニットを生成するときにＰＨＹ処理ユニット１００の一定のコンポーネントの様々なパラメータが変更される。
【００６４】
図３Ａは、或る実施形態においてAP１４がクライアントステーション２５−４に、直交周波数領域多重化（OFDM）変調方式を利用して送信を行うよう構成された例示的な重複モードのデータユニット２００を示す。或る実施形態では、クライアントステーション２５−４はさらに、AP１４に、フォーマット２００のデータユニットを送信するよう構成されている。
【００６５】
データユニット２００は、通常の動作モードで幅６４のDFT（またはFFT）データユニットに対応している帯域幅で送信される。例えば、３２DFT(またはFFT)が、２０ＭＨｚ幅のチャネルで送信される信号に対応しており、６４DFT（またはFFT）が、４０ＭＨｚ幅のチャネルで送信される信号に対応している場合には、データユニット２００は、４０ＭＨｚ幅のチャネルでの送信用である。別の例では、６４DFT(またはFFT)が、２０ＭＨｚ幅のチャネルで送信される信号に対応している場合には、データユニット２００は、２０ＭＨｚ幅のチャネルでの送信用である。
【００６６】
データユニット２００は、第１の部分２０４と第２の部分２０８とを含む。第２の部分２０８のデータは、或る実施形態では、第１の部分２０４のデータの複製である。例えば、コンスタレーションマッパー１１２（図２）は、第１の部分２０４に対応するコンスタレーションポイントを生成し、或る実施形態では、これらのコンスタレーションポイントを複製することで、第２の部分２０８に対応するコンスタレーションポイントの複製を生成する。或る実施形態では、ＩＤＦＴユニット １２２（図２）は、次に、第１の部分２０４と第２の部分２０８とに対応するコンスタレーションポイントのすべてを、時間領域信号に変換する。或る実施形態では、第２の部分２０８は、第１の部分２０４に対して位相シフトされている。例えば、或る実施形態では、第２の部分２０８が、ｊ（９０度）だけ、第１の部分２０４から位相シフトされている。他の実施形態では、第２の部分２０８が、１８０度（-1）等の他の適切な値だけ、第１の部分２０４から位相シフトされている。
【００６７】
図３Bは、或る実施形態においてAP１４がクライアントステーション２５−４に、OFDM変調方式を利用して送信を行うよう構成された例示的な重複モードのデータユニット２５０を示す。或る実施形態では、クライアントステーション２５−４はさらに、AP１４に、フォーマット２５０のデータユニットを送信するよう構成されている。
【００６８】
データユニット２５０は、通常の動作モードで幅１２８のDFT（またはFFT）データユニットに対応している帯域幅で送信される。例えば、３２DFT(またはFFT)が、２０ＭＨｚ幅のチャネルで送信される信号に対応しており、１２８DFT（またはFFT）が、８０ＭＨｚ幅のチャネルで送信される信号に対応している場合には、データユニット２５０は、８０ＭＨｚ幅のチャネルでの送信用である。別の例では、１２８DFT(またはFFT)が、４０ＭＨｚ幅のチャネルで送信される信号に対応している場合には、データユニット２００は、４０ＭＨｚ幅のチャネルでの送信用である。
【００６９】
データユニット２５０は、第１の部分２５４と、第２の部分２５８と、第３の部分２６２と、第４の部分２６６とを含む。第２の部分２５８と、第３の部分２６２と、第４の部分２６６とにおけるデータは、或る実施形態では、第１の部分２５４のデータの複製である。例えば、コンスタレーションマッパー１１２（図２）は、第１の部分２５４に対応するコンスタレーションポイントを生成し、或る実施形態では、これらコンスタレーションポイントを複製することで、第２の部分２５８と、第３の部分２６２と、第４の部分２６６とに対応するコンスタレーションポイントの複製を生成する。或る実施形態では、ＩＤＦＴユニット１２２（図２）は、次に、第１の部分２５４と、第２の部分２５８と、第３の部分２６２と、第４の部分２６６とに対応するコンスタレーションポイントのすべてを、時間領域信号に変換する。或る実施形態では、第１の部分２５４は、第２の部分２５８、第３の部分２６２、及び／または、第４の部分２６６のうち１以上に対して位相シフトされている。例えば、或る実施形態では、第１の部分２５４が、-1（１８０度）だけ、第２の部分２５８と、第３の部分２６２と、第４の部分２６６とから位相シフトされている。他の実施形態では、第１の部分２５４が、９０度（ｊ）等の他の適切な値だけ、第２の部分２５８、第３の部分２６２、及び／または、第４の部分２６６のうち１以上から位相シフトされている。
【００７０】
他の実施形態では、図３Aおよび図３Bに類似した周波数重複モードのデータユニットが、通常の動作モードの幅２５６DFT(またはFFT)データユニットまたは幅５１２DFT（またはFFT）データユニットに対応した帯域幅で送信される。例えば、３２DFT（またはFFT）が、２０ＭＨｚ幅のチャネルで送信される信号に対応しており、２５６DFT（またはFFT）が、１６０ＭＨｚ幅のチャネルで送信される信号に対応している場合には、周波数重複モードのデータユニットは、１６０ＭＨｚ幅のチャネルでの送信用である。別の例では、５１２DFT(またはFFT)が、１６０ＭＨｚ幅のチャネルで送信される信号に対応している場合には、３２DFT信号が１６回複製されたものに対応した周波数重複モードのデータユニットが、１６０ＭＨｚ幅のチャネルでの送信用である。一般的に、Mが、複製される部分のコンスタレーションポイントの数であり、ｋが、複製係数である（例えば２、４、８、１６等の正の整数である）場合、或る実施形態では、データユニットの帯域幅は、重複モードにおける複製される部分の帯域幅と比して、ｋの係数分、増分される。
【００７１】
或る実施形態では、周波数重複モードが、所与のサイズのＤＦＴ（ＦＦＴ）に対応しており、利用されている通信プロトコルで許可される複数の変調符号スキーム（MCS）のために許可される。例えば、利用される通信プロトコルによってサイズ３２のＤＦＴ（ＦＦＴ）に対応している複数のMCSが許可される或る実施形態では、実施形態によっては、周波数重複モードが、サイズ３２のＤＦＴ（ＦＦＴ）に対応している複数のMCS用に許可される。利用される通信プロトコルによってサイズ３２のＤＦＴ（ＦＦＴ）に対応している複数のMCSが許可される或る実施形態では、実施形態によっては、周波数重複モードが、サイズ３２のＤＦＴ（ＦＦＴ）に対応している全ての許可されているMCS用に許可される。利用される通信プロトコルによってサイズ３２のＤＦＴ（ＦＦＴ）に対応している複数のMCSが許可される或る実施形態では、実施形態によっては、周波数重複モードが、サイズ３２のＤＦＴ（ＦＦＴ）に対応している１つのMCS用に許可される。例えば或る実施形態では、周波数重複モードは、（ｉ）サイズ３２のＤＦＴ（ＦＦＴ）および（ｉｉ）最低レートに対応する１つのＭＣＳ用に許可される。
【００７２】
或る実施形態では、ＰＨＹ処理ユニットは、第１の部分の下位（周波数の）端部および第１の部分の上位（周波数の）端部において異なる数のガードトーンをもつ周波数重複モードのデータユニットの第１の部分を生成するよう構成されている。例えば、一実施形態では、ＰＨＹ処理ユニットが、第１の部分の下位（周波数の）端部に３つのガードトーンおよび第１の部分の上位（周波数の）端部に２つのガードトーンをもつ周波数重複モードのデータユニットの第１の部分を生成するよう構成されている。これら実施形態の一部では、処理ユニットは、周波数重複モードのデータユニットの第２の部分を、第２の部分の上位（周波数の）端部のガードトーンの数が、第１の部分の下位（周波数の）端部のガードトーンの数より多くなるよう、またはこれに等しくなるよう、生成するよう構成されている。例えば、一実施形態では、処理ユニットは、第１の部分の下位（周波数の）端部に３つのガードトーンおよび第１の部分の上位（周波数の）端部に２つのガードトーンをもち、第２の部分の下位（周波数の）端部に２以下のガードトーンおよび第２の部分の上位（周波数の）端部に３以上のガードトーンが設けられるように、周波数重複モードのデータユニットの第１および第２の部分を生成するよう構成されている。或る実施形態では、処理ユニットは、周波数重複モードのデータユニットの第２の部分を、トーンの順序が、周波数重複モードのデータユニットの第１の部分のトーンの順序の逆となるよう、及び、第２の部分の上位（周波数の）端部のガードトーンの数が、第１の部分の下位（周波数の）端部のガードトーンの数以上になるよう、生成するよう構成されている。或る実施形態では、処理ユニットは、周波数重複モードのデータユニットの第２の部分を、トーンの順序が、周波数重複モードのデータユニットの第１の部分のトーンの順序と比較して（１、２等）循環シフトして、第２の部分の上位（周波数の）端部のガードトーンの数が、第１の部分の下位（周波数の）端部のガードトーンの数以上になるよう、生成するよう構成されている。
【００７３】
同様に、幾つかの実施形態では、処理ユニットが、周波数重複モードのデータユニットの第２の部分を、第２の部分の下位（周波数の）端部のガードトーンの数が、第１の部分の上位（周波数の）端部のガードトーンの数以上になるよう、生成するよう構成されている。或る実施形態では、処理ユニットが、周波数重複モードのデータユニットの第２の部分を、トーンの順序が、周波数重複モードのデータユニットの第１の部分のトーンの順序の逆となるよう、及び、第２の部分の下位（周波数の）端部のガードトーンの数が、第１の部分の上位（周波数の）端部のガードトーンの数以上になるよう、生成するよう構成されている。或る実施形態では、処理ユニットが、周波数重複モードのデータユニットの第２の部分を、トーンの順序が、周波数重複モードのデータユニットの第１の部分のトーンの順序と比較して（１、２等）循環シフトして、第２の部分の下位（周波数の）端部のガードトーンの数が、第１の部分の上位（周波数の）端部のガードトーンの数以上になるよう、生成するよう構成されている。
【００７４】
幾つかの実施形態では、周波数重複モードのデータユニットのデータ部分は、例えば図３Ａおよび図３Ｂに関して上述したように複製されるが、周波数重複モードのデータユニットのプリアンブルまたはプリアンブルの一部は、同様に複製はされない。例えば、或る実施形態では、プリアンブルまたはプリアンブルの一部が、例えばサイズ３２のＤＦＴ（ＦＦＴ）に対応する帯域幅を有するが、データ部分は、サイズ３２のＤＦＴ（ＦＦＴ）から、例えばサイズ６４ＤＦＴ（ＦＦＴ）に対応する帯域幅に複製される。
【００７５】
他の実施形態では、周波数重複モードのデータユニットのプリアンブルおよびデータ部分が両方とも、例えば図３Ａおよび図３Ｂを参照して上述したように複製される。図４を参照すると、例示的な周波数重複モードのデータユニット３００が、第１の部分３０２ａおよび第２の部分３０２ｂを含んでいる。第２の部分３０２ｂは、或る実施形態では、第１の部分３０２ａの複製されたバージョンである。第２の部分３０２ｂは、或る実施形態では、第１の部分３０２ａに対して９０度（ｊ）位相シフトされている。他の実施形態では、第２の部分３０２ｂが、第１の部分３０２ａに対して、別の適切な量（例えば１８０度、２７０度等）位相シフトされている。第１の部分３０２ａおよび第２の部分３０２ｂのそれぞれは、或る実施形態では、サイズ３２のＤＦＴ（ＦＦＴ）に対応しており、データユニット３００は、サイズ６４のＤＦＴ（ＦＦＴ）に対応している帯域幅を有している。
【００７６】
データユニット３００は、プリアンブル部分３０４とデータ部分３０８とを含む。データ部分３０８は、サイズ３２のＤＦＴ（ＦＦＴ）に対応する第１の部分３１２ａと、サイズ３２のＤＦＴ（ＦＦＴ）に対応する第２の部分３１２ｂとを含む。第２の部分３１２ｂは、或る実施形態では、第１の部分３１２ａの複製されたバージョンである。データ部分３０８は、或る実施形態では、サイズ６４のＤＦＴ（ＦＦＴ）に対応する帯域幅を有している。
【００７７】
プリアンブル３０４は、ショートトレーニングフィールド（ＳＴＦ）３１６ａ、ロングトレーニングフィールド（ＬＴＦ）３２０ａ、および、信号（ＳＩＧ）フィールド３２４ａを含む第１のプリアンブル部分を含む。プリアンブルは、第１のプリアンブル部分の複製されたバージョンである第２のプリアンブル部分を含む。第２のプリアンブル部分は、ＳＴＦ３１６ｂ、ＬＴＦ３２０ｂ、および、ＳＩＧフィールド３２４ｂを含み、これらは、或る実施形態では、ＳＴＦ３１６ａ、ＬＴＦ３２０ａ、および、ＳＩＧフィールド３２４ａそれぞれから複製されたものである。或る実施形態において、第１のプリアンブル部分および第２のプリアンブル部分のそれぞれは、サイズ３２のＤＦＴ（ＦＦＴ）に対応しており、プリアンブル３０４は、サイズ６４のＤＦＴ（ＦＦＴ）に対応している帯域幅を有している。或る実施形態では、各STF316は、４つのＯＦＤＭシンボルを含んでおり、各LTF３２０は４つのＯＦＤＭシンボルを含んでおり、各ＳＩＧフィールド３２４は、６個のＯＦＤＭシンボルを含んでいる。他の実施形態では、各STF３１６、各LTF320、および、各ＳＩＧフィールド３２４が、それぞれ異なる適切な数のＯＦＤＭシンボルを含む。他の実施形態では、プリアンブル３０４は、図４に示されていない更なるフィールドを含む。
【００７８】
或る実施形態では、第１のプリアンブル部分が、サイズ３２のＤＦＴ（ＦＦＴ）の、非複製データユニットと同じまたは類似していてよい。ゆえに、データユニット３００は、受信機に対して、データユニット３００がサイズ３２のＤＦＴ（ＦＦＴ）の、非複製データユニットではなくて、周波数重複モードのデータユニットであることを信号伝達するべくエンコードされる、信号伝達する情報を含む、等である。同様に、データユニット３００は、受信機に対して、データユニット３００がサイズ６４のＤＦＴ（ＦＦＴ）の、非複製データユニットではなくて、サイズ３２のＤＦＴ（ＦＦＴ）の周波数重複モードのデータユニットであることを信号伝達するべくエンコードされる、信号伝達する情報を含む、等である。
【００７９】
或る実施形態では、各ＳＩＧフィールド３２４が、データユニット３００がサイズ３２のＤＦＴ（ＦＦＴ）周波数重複モードのデータユニットであることを示す情報を含むので、受信機は、ＳＩＧフィールド３２４の１つがデコードされた後で、データユニット３００が、サイズ３２のＤＦＴ（ＦＦＴ）周波数重複モードのデータユニットであり、したがって、ＳＩＧフィールド３２４の後のデータユニット３００のデコード部分である、と適切に判断することができる。例えば、データ部分３０８をデコードするとき、受信機は、部分３１２ａと部分３１２ｂとの間の重複を活用するための最大割当量組み合わせ（MRC：maximum ration combining）を利用して、感度を向上させ、誤り率を低減させる、等である。他方で、受信機がＳＩＧフィールド３２４のうち１つを正しくデコードできないときには、或る実施形態では、受信機は、データユニット３００のうちいずれかを正しくデコードできない可能性がある。ゆえに、受信機に、データユニット３００がサイズ３２ＤＦＴ（ＦＦＴ）の周波数重複モードのデータユニットであると信号伝達して、受信機がこの情報を、ＳＩＧフィールド３２４をデコードするときに利用できるようにすると好適である。例えば、受信機は、部分３２４ａと部分３２４ｂとの間の重複を活用して（例えば、MRCデコードまたは別の適切な技術を利用して）、感度を向上させ、誤り率を低減させ、ＳＩＧフィールド３２４を正しくデコードする可能性を高めることができる。
【００８０】
幾つかの実施形態では、ＬＴＦフィールド３２０は、受信機に、データユニット３００がサイズ３２のＤＦＴ（ＦＦＴ）の周波数重複モードのデータユニットである、及び／または、データユニット３００がサイズ６４のＤＦＴ（ＦＦＴ）データユニットではない、と信号伝達するよう構成されている。これにより、受信機が、データユニット３００のフォーマットを適時に認識して、ＳＩＧフィールド３２４をデコードする際に部分３２４ａと部分３２４ｂとの間の重複を活用するよう補助する。例えば、或る実施形態では、ＬＴＦフィールド３２０の少なくとも一部が、６４ＤＦＴ（ＦＦＴ）のデータユニットのLTFの対応する部分に対して、異なるように（例えば、直交するように、または、適切に低い相関性を持つように）設計されている。
【００８１】
各ＬＴＦフィールド３２０は、ダブルガードインターバル（DGI）３４４（例えば、シングルガードインターバル（GI）の長さの二倍）、複数のロングトレーニングシーケンス（LTS）３４８、GI３５２、LTS356、GI３６０、およびLTS３６４を含む。或る実施形態では、LTS３４８、３５６、及び／または３６４の１以上が、周波数複製されたデータユニットのこれらトーンと、同じ帯域幅をもつ通常モードのユニットにおける対応するトーンとの間の相互相関性が、相関値ゼロまたは別の適切な低相関値（例えば１以下）を持つように構成される。例えば或る実施形態では、LTS348、３５６、及び／または３６４の１以上が、同じ帯域幅をもつ通常モードのユニットの対応するLTSと、直交しており、または略直交している。或る実施形態では、LTS３４８−１が、サイズ６４のＤＦＴ（ＦＦＴ）に対応した帯域幅をもつ通常モードのユニットの対応するLTSと、直交しており、または略直交している。他の実施形態では、LTF３２０の異なる、及び／または追加のLTSが、サイズ６４のＤＦＴ（ＦＦＴ）に対応した帯域幅をもつ通常モードのユニットの対応するLTSと、直交しており、または略直交している。
【００８２】
幾つかの実施形態では、データユニット３００の１以上のフィールドが、非周波数複製データユニットの対応する１以上のフィールドとは異なるように変調されることで、受信機に、該データユニットが、周波数重複モードのデータユニットであること、及び／または、データユニット３００が、同じ帯域幅の通常モードのデータユニットではないことを信号伝達する。図５は、幾つかの実施形態において、データユニットのプリアンブルの１以上のフィールドに適用されたとき、受信機が、通常モードのデータユニットと周波数複製されたデータユニットとを区別するべく利用することができる、２つの異なる変調技術を示す。
【００８３】
コンスタレーションダイアグラム４００は二位相偏移変調を示し、コンスタレーションダイアグラム４５０は、四二位相偏移（QBPSK：quaternary binary phase shift key）変調を示す。図５からわかるように、QBPSK変調は、BPSK変調から９０度位相シフトされている。幾つかの実施形態では、送信機のネットワークインタフェースユニットが、通常モードのデータユニットのプリアンブルの１以上のフィールドをBPSKを利用して変調し、送信機のネットワークインタフェースユニットが、周波数重複モードのデータユニットのプリアンブルの１以上の対応するフィールドを、QBPSKを利用して変調する。幾つかの実施形態では、送信機のネットワークインタフェースユニットが、通常モードのデータユニットのプリアンブルの１以上のフィールドをQBPSKを利用して変調し、送信機のネットワークインタフェースユニットが、周波数重複モードのデータユニットのプリアンブルの１以上の対応するフィールドを、BPSKを利用して変調する。幾つかの実施形態では、受信機のネットワークインタフェースユニットが、プリアンブルの様々なフィールドがBPSKまたはQBPSKのいずれを利用して変調されているかを検出し、プリアンブルの様々なフィールドがBPSKまたはQBPSKのいずれを用いて変調されているかに基づいて、データユニットのタイプを判断する。
【００８４】
幾つかの実施形態では、上述したように、送信機のネットワークインタフェースユニットは、様々な異なるLTSを利用して、様々な異なる変調技術を用いてプリアンブルフィールドを変調して、受信機に対して、送信されているデータユニットのタイプを信号伝達する（たとえば、周波数重複モードか、非周波数重複モードか）。幾つかの実施形態では、受信機のネットワークインタフェースユニットが、どのLTSが存在しており、プリアンブルの様々なフィールドがBPSKまたはQBPSKのいずれを用いて変調されているかを検出して、（i）どのLTSが存在しており、（ii）プリアンブルの様々なフィールドがBPSKまたはQBPSKのいずれを用いて変調されているか、に基づいて、データユニットのタイプを判断する。
【００８５】
図６は、或る実施形態における、サイズ６４のＤＦＴ（ＦＦＴ）に対応した帯域幅をもつ通常モードのデータユニット５００の例、および、サイズ６４のＤＦＴ（ＦＦＴ）に対応した帯域幅をもつ周波数重複モードのデータユニット５０４の例を示す。周波数重複モードのデータユニット５０４は、サイズ３２のＤＦＴ（ＦＦＴ）に対応した第１の部分５０８ａとサイズ３２のＤＦＴ（ＦＦＴ）に対応した第２の部分５０８ｂとを含み、或る実施形態では、第２の部分５０８ｂは、第１の部分５０８ａの複製されたバージョンである。
【００８６】
周波数重複モードのデータユニット５０４はプリアンブル５１２とデータ部分とを含む。プリアンブル５１２は、サイズ３２のＤＦＴ（ＦＦＴ）ＳＴＦ５１６と、ＬＴＦ５２０と、ＳＩＧフィールド５２４とを含む。データ部分は、サイズ３２のＤＦＴ（ＦＦＴ）部分５３０を含む。
【００８７】
通常モードのデータユニット５００は、プリアンブルとデータ部分５６０とを含む。プリアンブルは、ＳＴＦ５４４と、ＬＴＦ５４８と、ＳＩＧフィールド５５２とを含み、それぞれが、サイズ６４のＤＦＴ（ＦＦＴ）である。
【００８８】
幾つかの実施形態では、ＬＴＦ５２０が、データユニット５０４がサイズ３２のＤＦＴ（ＦＦＴ）の周波数重複モードのデータユニットであること、及び／または、データユニット５０４が、サイズ６４のＤＦＴ（ＦＦＴ）のデータユニット５００ではないことを受信機に信号伝達するよう構成されている。これにより、受信機が、データユニット５０４のフォーマットを適時に認識して、ＳＩＧフィールド５２４をデコードする際に部分５２４ａと部分５２４ｂとの間の重複を活用するよう補助する。例えば、或る実施形態では、ＬＴＦフィールド５２０の少なくとも一部が、LTF５４８の対応する部分に対して、異なるように（例えば、直交するように、または、適切に低い相関性を持つように）設計されている。或る実施形態では、ＬＴＦ５２０の一以上の部分が、これらトーンの、ＬＴＦ５４８の対応するトーンに対する相互相関性が、相関値ゼロまたは別の適切な低相関値（例えば１以下）を持つように構成される。例えば或る実施形態では、ＬＴＦ５２０の一以上の部分が、ＬＴＦ５４８の対応する部分と、直交しており、または略直交している。
【００８９】
幾つかの実施形態では、ＬＴＦ５２０およびＬＴＦ５４８が、それぞれ、ＬＴＳを含む（不図示）。幾つかの実施形態では、ＬＴＦ５２０のＬＴＳの１以上は、これらトーンの、ＬＴＦ５４８の対応するトーンに対する相互相関性が、ゼロまたは別の適切な低相関値（例えば１以下）を持つように構成される。例えば、或る実施形態では、ＬＴＦ５２０のＬＴＳの１以上が、ＬＴＦ５４８の対応するＬＴＳと、直交しており、または略直交している。
【００９０】
図７は、或る実施形態における、サイズ６４のＤＦＴ（ＦＦＴ）に対応する帯域幅をもつ通常モードのデータユニットの例におけるプリアンブル５５０の一部と、サイズ６４のＤＦＴ（ＦＦＴ）に対応する帯域幅をもつ周波数重複モードのデータユニットの例におけるプリアンブル５５４の一部とを示す。周波数重複モードのデータユニットは、サイズ３２のＤＦＴ（ＦＦＴ）に対応する第１の部分５５８ａと、サイズ３２のＤＦＴ（ＦＦＴ）に対応する第２の部分５５８ｂとを含み、或る実施形態では、第２の部分５５８ｂは、第１の部分５５８ａの複製されたバージョンである。
【００９１】
周波数重複モードのデータユニットのプリアンブル５５４は、ＳＴＦ部分５６６とＬＴＦ部分５７０とを含み、それぞれがサイズ３２のＤＦＴ（ＦＦＴ）である。各ＬＴＦ部分５７０は、DGI572、LTS574、LTS５７６、GI５７８、LTS５８０、GI582、及び、LTS584を含む。
【００９２】
通常モードのデータユニットのプリアンブル５５０は、STF586、LTF588、およびＳＩＧフィールド部分５９０を含む。LTF588は、DGI592、LTS５９４、およびLTS596を含む。
【００９３】
幾つかの実施形態では、LTS５７４および５７６の一方または両方が、プリアンブル５５４を含むデータユニットがサイズ３２のＤＦＴ（ＦＦＴ）の周波数重複モードのデータユニットであること、及び／または、プリアンブル５５４を含むデータユニットが、サイズ６４のＤＦＴ（ＦＦＴ）の通常モードのデータユニットではないことを受信機に信号伝達するよう構成されている。これにより、受信機が、データユニット５５４のフォーマットを適時に認識して、プリアンブル５５４のＳＩＧフィールド（不図示）のそれぞれ異なるサイズ３２のＤＦＴ（ＦＦＴ）の部分間の重複を、該ＳＩＧフィールドをデコードする際に活用するよう補助する。例えば、幾つかの実施形態では、LTS574および576の一方または両方が、これらトーンの、ＬＴS５９４および５９６の対応するトーンに対する相互相関性が、ゼロまたは別の適切な低相関値（例えば１以下）を持つように構成される。例えば、或る実施形態では、LTS５７４および５７６の一方または両方が、対応するLTS５９４および５９６と、直交しており、または略直交している。幾つかの実施形態では、LTS574は、（i）STF566の最後に対するLTS574の先頭と、（ii）STF５８６の最後に対するLTS594の先頭との間の時間対応関係によってLTS594に対応している。同様に、LTS576は、（i）STF566の最後に対するLTS576の先頭と、（ii）STF586の最後に対するLTS596の先頭との間の時間対応関係によってLTS596に対応している。
【００９４】
しかし、他の実施形態では、LTS５７４および５７６は、プリアンブル５５４を含むデータユニットがサイズ３２のＤＦＴ（ＦＦＴ）の周波数重複モードのデータユニットであることも、プリアンブル５５４を含むデータユニットが、サイズ６４のＤＦＴ（ＦＦＴ）の通常モードのデータユニットではないことも、受信機に信号伝達するよう構成されていない。
【００９５】
幾つかの実施形態では、LTS５８０および５８４の一方または両方が、プリアンブル５５４を含むデータユニットがサイズ３２のＤＦＴ（ＦＦＴ）の周波数重複モードのデータユニットであること、及び／または、プリアンブル５５４を含むデータユニットが、サイズ６４のＤＦＴ（ＦＦＴ）の通常モードのデータユニットではないことを受信機に信号伝達するよう構成されている。これにより、受信機が、データユニット５５４のフォーマットを適時に認識して、プリアンブル５５４のＳＩＧフィールド（不図示）のそれぞれ異なるサイズ３２のＤＦＴ（ＦＦＴ）部分間の重複を、該ＳＩＧフィールドをデコードする際に活用するよう補助する。例えば、幾つかの実施形態では、LTS５８０および５８４の一方または両方が、BPSKを用いて変調されており、時間的に対応しているＳＩＧフィールド５９０は、QBPSKを用いて変調されている。幾つかの実施形態では、プリアンブル５５４のLTS５８０は、（i）STF566の最後に対するLTS５８０の先頭と、（ii）STF５８６の最後に対するＳＩＧフィールド５９０aの先頭との間の時間対応関係によって、プリアンブル５５０のＳＩＧフィールド５９０aに、時間的に対応している。同様に、幾つかの実施形態では、プリアンブル５５４のLTS５８４は、（i）STF566の最後に対するLTS５８４の先頭と、（ii）STF５８６の最後に対するＳＩＧフィールド５９０ｂの先頭との間の時間対応関係によって、プリアンブル５５０のＳＩＧフィールド５９０ｂに、時間的に対応している。
【００９６】
他の実施形態では、LTS５８０と５８４との一方または両方が、QBPSKを利用して変調され、時間的に対応しているＳＩＧフィールド５９０は、BPSKを利用して変調される。或る実施形態では、LTS580は、QBPSKを利用して変調され、LTS584は、BPSKを利用して変調され、ＳＩＧフィールド５９０aは、BPSKを利用して変調され、ＳＩＧフィールド５９０ｂは、QBPSKを利用して変調される。別の実施形態では、LTS580は、BPSKを利用して変調され、LTS584は、QBPSKを利用して変調され、ＳＩＧフィールド５９０aは、QBPSKを利用して変調され、ＳＩＧフィールド５９０ｂは、BPSKを利用して変調される。他の同様の変形例も考えられる。一般的には、幾つかの実施形態で、プリアンブル５５４のLTS５８０と５８４の少なくとも１つが、プリアンブル５５０の（時間的に）対応している少なくとも１つのＳＩＧフィールド５９０で利用されるものと異なる変調技術を用いて変調される。
【００９７】
図８は、或る実施形態における、サイズ６４のＤＦＴ（ＦＦＴ）に対応する帯域幅をもつ通常モードのデータユニットの例におけるプリアンブル６００の一部と、サイズ３２のＤＦＴ（ＦＦＴ）に対応する帯域幅をもつ通常モードのデータユニットの例におけるプリアンブル６０４の一部と、サイズ６４のＤＦＴ（ＦＦＴ）に対応する帯域幅をもつ周波数重複モードのデータユニットの例におけるプリアンブル６０８の一部とを示す。周波数重複モードのデータユニットは、サイズ３２のＤＦＴ（ＦＦＴ）に対応する第１の部分６０８ａと、サイズ３２のＤＦＴ（ＦＦＴ）に対応する第２の部分６０８ｂとを含み、或る実施形態では、第２の部分６０８ｂは、第１の部分６０８ａの複製されたバージョンである。
【００９８】
周波数重複モードのデータユニットのプリアンブル６０４は、ＳＴＦ部分６１２及びＬＴＦ部分６１６と（それぞれがサイズ３２のＤＦＴ（ＦＦＴ）である）、ＳＩＧフィールド部分６２０とを含む。各ＬＴＦ部分６１６は、DGI６２４、LTS６２６、LTS６２８、GI６３０、LTS６３２、GI６３４、及び、LTS６３６を含む。
【００９９】
サイズ３２のＤＦＴ（ＦＦＴ）の通常モードのデータユニットのプリアンブル６０２は、STF６５０、LTF６５４、およびＳＩＧフィールド６５８を含む。LTF６５４は、LTS662、LTS664、LTS668、およびLTS670を含む。
【０１００】
サイズ６４のＤＦＴ（ＦＦＴ）の通常モードのデータユニットのプリアンブル６００は、STF６８０、LTF６８４、およびＳＩＧフィールド部分６８８を含む。LTF６８４は、LTS６９２およびLTS６９６を含む。
【０１０１】
一部の実施形態では、LTS６２６および６２８の一方または両方が、プリアンブル６０４を含むデータユニットがサイズ３２のＤＦＴ（ＦＦＴ）の周波数重複モードのデータユニットである、及び／または、プリアンブル６０４を含むデータユニットが、サイズ６４のＤＦＴ（ＦＦＴ）の通常モードのデータユニットではない、と受信機に信号伝達するよう構成されている。これにより、受信機が、データユニット６０４のフォーマットを適時に認識して、プリアンブル６０４の（不図示の）ＳＩＧフィールドのそれぞれ異なるサイズ３２のＤＦＴ（ＦＦＴ）部分間の重複を、該ＳＩＧフィールドをデコードする際に活用するよう補助する。例えばいくつかの実施形態では、LTS６２６および６２８の一方または両方が、これらトーンと、LTS６９２および６９６における対応するトーンとの間の相互相関性が、ゼロまたは別の適切な低相関値（例えば１以下）を持つように構成される。例えば、或る実施形態では、LTS６２６および６２８の一方または両方が、対応するLTS６９２および６９６と、直交しており、または略直交している。従って受信機は、プリアンブル６０４を含むデータユニットが、LTS６２６および６２８に基づいてサイズ６４のＤＦＴ（ＦＦＴ）の通常モードのデータユニットではないと検出することができる。幾つかの実施形態では、LTS６２６は、（i）STF６１２の最後に対するLTS６２６の先頭と、（ii）STF６８０の最後に対するLTS６９２の先頭との間の時間対応関係によってLTS６９２に対応している。同様に、幾つかの実施形態では、LTS６２８は、（i）STF６１２の最後に対するLTS６２８の先頭と、（ii）STF６８０の最後に対するLTS６９６の先頭との間の時間対応関係によってLTS６９６に対応している。
【０１０２】
しかし、他の実施形態では、LTS６２６および６２８は、プリアンブル６０４を含むデータユニットがサイズ３２のＤＦＴ（ＦＦＴ）の周波数重複モードのデータユニットであることも、プリアンブル６０４を含むデータユニットが、サイズ６４のＤＦＴ（ＦＦＴ）の通常モードのデータユニットではないことも、受信機に信号伝達するよう構成されていない。
【０１０３】
或る実施形態では、プリアンブル６０２のLTS662が、プリアンブル６０４の各LTS６２６と同じである。或る実施形態では、プリアンブル６０２のLTS６６４が、プリアンブル６０４の各LTS６２８と同じである。或る実施形態では、LTS６６２および６６４の一方または両方が、プリアンブル６０２を含むデータユニットがサイズ６４のＤＦＴ（ＦＦＴ）の通常モードのデータユニットではないことを受信機に信号伝達するよう構成されている。
【０１０４】
幾つかの実施形態では、LTS626および６２８の一方または両方が、これらトーンと、LTS６６２および６６４における対応するトーンとの間の相互相関性が、ゼロまたは別の適切な低相関値（例えば１以下）を持つように構成される。例えば、或る実施形態では、LTS６２６および６２８の一方または両方が、対応するLTS６６２および６６４と、直交しており、または略直交している。従って受信機は、プリアンブル６０４を含むデータユニットが、LTS６２６および６２８に基づいてサイズ３２のＤＦＴ（ＦＦＴ）の通常モードのデータユニットではないと検出することができる。幾つかの実施形態では、LTS６２６は、（i）STF６１２の最後に対するLTS６２６の先頭と、（ii）STF６５０の最後に対するLTS６６２の先頭との間の時間対応関係によってLTS６６２に対応している。同様に、LTS６２８は、（i）STF６１２の最後に対するLTS６２８の先頭と、（ii）STF６５０の最後に対するLTS６６４の先頭との間の時間対応関係によってLTS６６４に対応している。
【０１０５】
幾つかの実施形態では、LTS６３２および６３６の一方または両方が、プリアンブル６０４を含むデータユニットがサイズ３２のＤＦＴ（ＦＦＴ）の周波数重複モードのデータユニットであること、及び／または、プリアンブル６０４を含むデータユニットが、サイズ６４のＤＦＴ（ＦＦＴ）の通常モードのデータユニットではないことを受信機に信号伝達するよう構成されている。これにより、受信機が、データユニット６０４のフォーマットを適時に認識して、ＳＩＧフィールド６２０をデコードする際にプリアンブル６０４のＳＩＧフィールド６２０のそれぞれ異なるサイズの３２ＤＦＴ（ＦＦＴ）部分間の重複を活用するよう補助する。例えば、幾つかの実施形態では、LTS６３２および６３６の一方または両方が、BPSKを用いて変調されており、時間的に対応しているＳＩＧフィールド６８８は、QBPSKを用いて変調されている。幾つかの実施形態では、プリアンブル６０４のLTS６３２は、（i）STF６１２の最後に対するLTS６３２の先頭と、（ii）STF６８０の最後に対するＳＩＧフィールド６８８aの先頭との間の時間対応関係によって、プリアンブル６００のＳＩＧフィールド６８８aに、時間的に対応している。同様に、幾つかの実施形態では、プリアンブル６０４のLTS６３６は、（i）STF６１２の最後に対するLTS６３６の先頭と、（ii）STF６８０の最後に対するＳＩＧフィールド６８８ｂの先頭との間の時間対応関係によって、プリアンブル６００のＳＩＧフィールド６８８ｂに、時間的に対応している。
【０１０６】
他の実施形態では、LTS６３２および６３６の一方または両方が、QBPSKを利用して変調され、時間的に対応しているＳＩＧフィールド６８８は、BPSKを利用して変調される。或る実施形態では、LTS６３２は、QBPSKを利用して変調され、LTS６３６は、BPSKを利用して変調され、ＳＩＧフィールド６８８ａは、BPSKを利用して変調され、ＳＩＧフィールド６８８ｂは、QBPSKを利用して変調される。別の実施形態では、LTS６３２は、BPSKを利用して変調され、LTS６３６は、QBPSKを利用して変調され、ＳＩＧフィールド６８８aは、QBPSKを利用して変調され、ＳＩＧフィールド６８８ｂは、BPSKを利用して変調される。他の同様の変形例も考えられる。一般的には、幾つかの実施形態で、プリアンブル６０４のLTS６３２と６３６の少なくとも１つが、プリアンブル６００の（時間的に）対応している少なくとも１つのＳＩＧフィールド６８８で利用されるものと異なる変調技術を用いて変調される。
【０１０７】
或る実施形態で、プリアンブル６０２のLTS668および670は、プリアンブル６０４の時間的にそれぞれ対応しているLTS６３２および６３６と同じ技術を利用して変調される。或る実施形態では、LTS６６８および６７０の一方または両方が、プリアンブル６０２を含むデータユニットがサイズ６４のＤＦＴ（ＦＦＴ）の通常モードのデータユニットではないと、受信機に信号伝達するべく変調される。
【０１０８】
幾つかの実施形態では、プリアンブル６０４のＳＩＧフィールド部分６２０が、プリアンブル６０４を含むデータユニットがサイズ３２のＤＦＴ（ＦＦＴ）周波数重複モードのデータユニットである、及び／または、プリアンブル６０４を含むデータユニットが、サイズ３２のＤＦＴ（ＦＦＴ）の通常モードのデータユニットではない、と受信機に信号伝達するよう構成されている。これにより、受信機が、データユニット６０４のフォーマットを適時に認識して、ＳＩＧフィールド６２０をデコードする際にプリアンブル６０４のＳＩＧフィールド６２０のそれぞれ異なるサイズ３２のＤＦＴ（ＦＦＴ）部分間の重複を活用するよう補助する。例えばいくつかの実施形態では、ＳＩＧフィールド部分６２０が、QBPSKを利用して変調され、プリアンブル６０２の時間的に対応しているＳＩＧフィールド６５８は、BPSKを利用して変調される。幾つかの実施形態では、プリアンブル６０４のＳＩＧフィールド部分６２０は、（i）STF６１２の最後に対するＳＩＧフィールド部分６２０の先頭と、（ii）STF６５０の最後に対するＳＩＧフィールド６５８の先頭との間の時間対応関係によって、プリアンブル６０２のＳＩＧフィールド６５８に、時間的に対応している。他の実施形態では、ＳＩＧフィールド部分６２０が、BPSKを用いて変調されており、時間的に対応しているＳＩＧフィールド６５８は、QBPSKを用いて変調されている。
【０１０９】
図８には示されていないが、幾つかの実施形態では、プリアンブル６０４及びプリアンブル６０２はそれぞれが、追加のＳＩＧフィールドを含んでいる。追加のＳＩＧフィールドを含む幾つかの実施形態では、プリアンブル６０４の追加のＳＩＧフィールドの１以上が、QBPSKを利用して変調され、プリアンブル６０２の（時間的に）対応している１以上のＳＩＧフィールドは、BPSKを利用して変調されている。追加のＳＩＧフィールドを含む他の実施形態では、プリアンブル６０４の追加のＳＩＧフィールドの１以上が、BPSKを利用して変調され、プリアンブル６０２の（時間的に）対応している1以上のＳＩＧフィールドは、QBPSKを利用して変調されている。
【０１１０】
他の実施形態では、ＳＩＧフィールド部分６２０は、時間的に対応しているＳＩＧフィールド６５８のために利用される技術を利用して変調される。例えば、或る実施形態では、ＬＴＳフィールド６３２および６３６の一方または両方の変調は、プリアンブル６０４とプリアンブル６０２の間を区別するべく利用される。
【０１１１】
幾つかの実施形態では、ＬＴＳフィールド６２６および６２８の一方または両方は、（例えば上述したように）、受信機に、プリアンブル６０４を、サイズ６４のＤＦＴ（ＦＦＴ）の非周波数重複モードのデータユニットから区別させるよう構成されており、プリアンブル６０４の１以上のＳＩＧフィールド（例えばＳＩＧフィールド６２０及び／または追加のＳＩＧフィールド（不図示））は、サイズ３２のＤＦＴ（ＦＦＴ）の非周波数重複モードのデータユニットの（時間的に）対応しているＳＩＧフィールドと比べて異なる技術（例えば上述したようなもの）を利用して変調され、これにより、受信機は、プリアンブル６０４を、サイズ３２のＤＦＴ（ＦＦＴ）の非周波数重複モードのデータユニットから区別することができる。
【０１１２】
図９は、或る実施形態における、サイズ６４のＤＦＴ（ＦＦＴ）に対応する帯域幅をもつ通常モードのデータユニットの例におけるプリアンブル７００の一部と、サイズ６４のＤＦＴ（ＦＦＴ）に対応する帯域幅をもつ周波数重複モードのデータユニットの例におけるプリアンブル７０４の一部とを示す。周波数重複モードのデータユニットは、サイズ３２のＤＦＴ（ＦＦＴ）に対応する第１の部分７０８ａと、サイズ３２のＤＦＴ（ＦＦＴ）に対応する第２の部分７０８ｂとを含み、或る実施形態では、第２の部分７０８ｂは、第１の部分７０８ａの複製されたバージョンである。
【０１１３】
周波数重複モードのデータユニットのプリアンブル７０４は、ＳＴＦ部分７１２及びＬＴＦ部分７１６と（それぞれがサイズ３２のＤＦＴ（ＦＦＴ）である）、ＳＩＧフィールド部分７２０とを含む。各ＬＴＦ部分７１６は、LTS７２６、LTS７２８、LTS７３２、及び、LTS７３６を含む。
【０１１４】
サイズ６４のＤＦＴ（ＦＦＴ）の通常モードのデータユニットのプリアンブル７００は、STF７５０、LTF７５４、およびＳＩＧフィールド部分７５８を含む。LTF７５４は、LTS７６６およびLTS７７０を含む。
【０１１５】
一部の実施形態では、LTS７２６および７２８の一方または両方が、プリアンブル７０４を含むデータユニットがサイズ３２のＤＦＴ（ＦＦＴ）の周波数重複モードのデータユニットである、及び／または、プリアンブル７０４を含むデータユニットが、サイズ６４のＤＦＴ（ＦＦＴ）の通常モードのデータユニットではない、と受信機に信号伝達するよう構成されている。これにより、受信機が、データユニット７０４のフォーマットを適時に認識して、プリアンブル７０４のＳＩＧフィールドのそれぞれ異なるサイズ３２のＤＦＴ（ＦＦＴ）部分間の重複を、該ＳＩＧフィールドをデコードする際に活用するよう補助する。例えばいくつかの実施形態では、LTS７２６および７２８の一方または両方が、これらトーンと、LTS７６６および７７０における対応するトーンとの間の相互相関性が、ゼロまたは別の適切な低相関値（例えば１以下）を持つように構成される。例えば、或る実施形態では、LTS７２６および７２８の一方または両方が、対応するLTS７６６および７７０と、直交しており、または略直交している。従って受信機は、プリアンブル７０４を含むデータユニットが、LTS７２６および７２８に基づいてサイズ６４のＤＦＴ（ＦＦＴ）の通常モードのデータユニットではないと検出することができる。幾つかの実施形態では、LTS７２６は、（i）STF７１２の最後に対するLTS７２６の先頭と、（ii）STF７５０の最後に対するLTS７６６の先頭との間の時間対応関係によってLTS７６６に対応している。同様に、LTS７２８は、（i）STF７１２の最後に対するLTS７２８の先頭と、（ii）STF７５０の最後に対するLTS７７０の先頭との間の時間対応関係によってLTS７７０に対応している。
【０１１６】
しかし、他の実施形態では、LTS７２６および７２８は、プリアンブル７０４を含むデータユニットがサイズ３２のＤＦＴ（ＦＦＴ）の周波数重複モードのデータユニットであることも、プリアンブル７０４を含むデータユニットが、サイズ６４のＤＦＴ（ＦＦＴ）の通常モードのデータユニットではないことも、受信機に信号伝達するよう構成されていない。
【０１１７】
幾つかの実施形態では、LTS７３２および７３６の一方または両方が、プリアンブル７０４を含むデータユニットがサイズ３２のＤＦＴ（ＦＦＴ）の周波数重複モードのデータユニットであること、及び／または、プリアンブル７０４を含むデータユニットが、サイズ６４のＤＦＴ（ＦＦＴ）の通常モードのデータユニットではないことを受信機に信号伝達するよう構成されている。これにより、受信機が、データユニット７０４のフォーマットを適時に認識して、ＳＩＧフィールド７２０をデコードする際にプリアンブル７０４のＳＩＧフィールド７２０のそれぞれ異なるサイズ３２のＤＦＴ（ＦＦＴ）部分間の重複を活用するよう補助する。例えば、幾つかの実施形態では、LTS７３２および７３６の一方または両方が、QBPSKを用いて変調されており、時間的に対応しているＳＩＧフィールド758a及び758bは、BPSKを用いて変調されている。幾つかの実施形態では、プリアンブル７０４のLTS７３２は、（i）STF７１２の最後に対するLTS７３２の先頭と、（ii）STF７５０の最後に対するＳＩＧフィールド７５８aの先頭との間の時間対応関係によって、プリアンブル７００のＳＩＧフィールド７５８aに、時間的に対応している。同様に、幾つかの実施形態では、プリアンブル７０４のLTS７３６は、（i）STF７１２の最後に対するLTS７３６の先頭と、（ii）STF７５０の最後に対するＳＩＧフィールド７５８ｂの先頭との間の時間対応関係によって、プリアンブル７００のＳＩＧフィールド７５８ｂに、時間的に対応している。
【０１１８】
同様に、幾つかの実施形態では、ＳＩＧフィールド７２０は、プリアンブル７０４を含むデータユニットがサイズ３２のＤＦＴ（ＦＦＴ）の周波数重複モードのデータユニットであること、及び／または、プリアンブル７０４を含むデータユニットが、サイズ６４のＤＦＴ（ＦＦＴ）の通常モードのデータユニットではないことを受信機に信号伝達するよう構成されている。これにより、受信機が、データユニット７０４のフォーマットを適時に認識して、ＳＩＧフィールド７２０をデコードする際にプリアンブル７０４のＳＩＧフィールド７２０のそれぞれ異なるサイズ３２のＤＦＴ（ＦＦＴ）の部分間の重複を活用するよう補助する。例えば、幾つかの実施形態では、ＳＩＧフィールド７２０が、BPSKを用いて変調されており、時間的に対応しているＳＩＧフィールド７５８ｃは、QBPSKを用いて変調されている。幾つかの実施形態では、プリアンブル７０４のＳＩＧフィールド７２０は、（i）STF７１２の最後に対するＳＩＧフィールド７２０の先頭と、（ii）STF７５０の最後に対するＳＩＧフィールド７５８ｃの先頭との間の時間対応関係によって、プリアンブル７００のＳＩＧフィールド７５８ｃに、時間的に対応している。
【０１１９】
他の実施形態では、LTS７３２および７３６の一方または両方が、BPSKを利用して変調され、時間的に対応しているＳＩＧフィールド758a及び758bは、QBPSKを利用して変調される。或る実施形態では、ＳＩＧフィールド７２０は、QBPSKを利用して変調され、ＳＩＧフィールド７５８ｃは、BPSKを利用して変調される。
【０１２０】
図９には示されていないが、幾つかの実施形態では、プリアンブル７０４は、追加のＳＩＧフィールドを含んでいる。追加のＳＩＧフィールドを含む幾つかの実施形態では、プリアンブル７０４の追加のＳＩＧフィールドの１以上が、BPSKを利用して変調されている。追加のＳＩＧフィールドを含む一部の実施形態では、プリアンブル７０４の追加のＳＩＧフィールドの１以上が、QBPSKを利用して変調されている。
【０１２１】
他の実施形態では、ＳＩＧフィールド部分７２０は、時間的に対応しているＳＩＧフィールド７５８のために利用される技術を利用して変調される。例えば、或る実施形態では、ＬＴＳフィールド７３２および７３６の一方または両方の変調は、プリアンブル７０４とプリアンブル７０２の間を区別するべく利用される。
【０１２２】
一般的に、（i）ＬＴＳフィールド７３２、（ii）ＬＴＳフィールド７３６、および、（iii）ＳＩＧフィールド７２０の１以上が、プリアンブル７００の対応するフィールド７５８とは異なる方法で変調され、これにより、幾つかの実施形態では、受信機が、プリアンブル７００とプリアンブル７０４との間を区別することができる。
【０１２３】
図１０は、或る実施形態における、サイズ６４のＤＦＴ（ＦＦＴ）に対応する帯域幅をもつ通常モードのデータユニットの例におけるプリアンブル８００の一部と、サイズ６４のＤＦＴ（ＦＦＴ）に対応する帯域幅をもつ周波数重複モードのデータユニットの例におけるプリアンブル８０４の一部とを示す。周波数重複モードのデータユニットは、サイズ３２のＤＦＴ（ＦＦＴ）に対応する第１の部分８０８ａと、サイズ３２のＤＦＴ（ＦＦＴ）に対応する第２の部分８０８ｂとを含み、或る実施形態では、第２の部分８０８ｂは、第１の部分８０８ａの複製されたバージョンである。
【０１２４】
周波数重複モードのデータユニットのプリアンブル８０４は、ＳＴＦ部分８１２及びＬＴＦ部分８１６と（それぞれがサイズ３２のＤＦＴ（ＦＦＴ）である）、ＳＩＧフィールド部分８２０、８２４、及び、８２８とを含む。各ＬＴＦ部分８１６は、LTS８３２、及び、LTS８３６を含む。
【０１２５】
サイズ６４のＤＦＴ（ＦＦＴ）の通常モードのデータユニットのプリアンブル８００は、STF８５０、LTF８５４、およびＳＩＧフィールド部分８５８を含む。LTF８５４は、LTS８６６およびLTS８７０を含む。
【０１２６】
一部の実施形態では、LTS８３２および８３６の一方または両方が、プリアンブル８０４を含むデータユニットがサイズ３２のＤＦＴ（ＦＦＴ）の周波数重複モードのデータユニットである、及び／または、プリアンブル８０４を含むデータユニットが、サイズ６４のＤＦＴ（ＦＦＴ）の通常モードのデータユニットではない、と受信機に信号伝達するよう構成されている。これにより、受信機が、データユニット８０４のフォーマットを適時に認識して、プリアンブル８０４のＳＩＧフィールドのそれぞれ異なるサイズ３２のＤＦＴ（ＦＦＴ）部分間の重複を、該ＳＩＧフィールドをデコードする際に活用するよう補助する。例えばいくつかの実施形態では、LTS８３２および８３６の一方または両方が、これらトーンと、LTS８６６および８７０における対応するトーンとの間の相互相関性が、ゼロまたは別の適切な低相関値（例えば１以下）を持つように構成される。例えば、或る実施形態では、LTS８３２および８３６の一方または両方が、対応するLTS８６６および８７０と、直交しており、または略直交している。従って受信機は、プリアンブル８０４を含むデータユニットが、LTS８３２および８３６に基づいてサイズ６４のＤＦＴ（ＦＦＴ）の通常モードのデータユニットではないと検出することができる。幾つかの実施形態では、LTS８３２は、（i）STF８１２の最後に対するLTS８３２の先頭と、（ii）STF８５０の最後に対するLTS８６６の先頭との間の時間対応関係によってLTS８６６に対応している。同様に、LTS８３６は、（i）STF８１２の最後に対するLTS８３６の先頭と、（ii）STF８５０の最後に対するLTS８７０の先頭との間の時間対応関係によってLTS８７０に対応している。
【０１２７】
しかし、他の実施形態では、LTS８３２および８３６は、プリアンブル８０４を含むデータユニットがサイズ３２のＤＦＴ（ＦＦＴ）の周波数重複モードのデータユニットであることも、プリアンブル８０４を含むデータユニットが、サイズ６４のＤＦＴ（ＦＦＴ）の通常モードのデータユニットではないことも、受信機に信号伝達するよう構成されていない。
【０１２８】
幾つかの実施形態では、ＳＩＧフィールド８２０および８２４の一方または両方が、プリアンブル８０４を含むデータユニットがサイズ３２のＤＦＴ（ＦＦＴ）の周波数重複モードのデータユニットであること、及び／または、プリアンブル８０４を含むデータユニットが、サイズ６４のＤＦＴ（ＦＦＴ）の通常モードのデータユニットではないことを受信機に信号伝達するよう構成されている。これにより、受信機が、データユニットのフォーマットを適時に認識して、プリアンブル８０４のＳＩＧフィールド８２０、８２４、８２８のそれぞれ異なるサイズ３２のＤＦＴ（ＦＦＴ）部分間の重複を、ＳＩＧフィールド８２０、８２４、８２８をデコードする際に活用するよう補助する。例えば、幾つかの実施形態では、ＳＩＧフィールド８２０および８２４の一方または両方が、BPSKを用いて変調されており、時間的に対応しているＳＩＧフィールド858a及び858bは、QBPSKを用いて変調されている。幾つかの実施形態では、プリアンブル８０４のＳＩＧフィールド８２０は、（i）STF８１２の最後に対するＳＩＧフィールド８２０の先頭と、（ii）STF８５０の最後に対するＳＩＧフィールド８５８aの先頭との間の時間対応関係によって、プリアンブル８００のＳＩＧフィールド８５８aに、時間的に対応している。同様に、幾つかの実施形態では、プリアンブル８０４のＳＩＧフィールド８２４は、（i）STF８１２の最後に対するＳＩＧフィールド８２４の先頭と、（ii）STF８５０の最後に対するＳＩＧフィールド８５８ｂの先頭との間の時間対応関係によって、プリアンブル８００のＳＩＧフィールド８５８ｂに、時間的に対応している。
【０１２９】
他の実施形態では、ＳＩＧフィールド８２０および８２４の一方または両方が、QBPSKを利用して変調され、時間的に対応しているＳＩＧフィールド858a及び858bは、BPSKを利用して変調される。
【０１３０】
他の実施形態では、ＳＩＧフィールド部分８２０および８２４のうち一方は、時間的に対応しているＳＩＧフィールド８５８のために利用される技術を利用して変調され、ＳＩＧフィールド部分８２０および８２４のうち一方は、時間的に対応しているＳＩＧフィールド８５８のために利用されるものと異なる技術を利用して変調される。
【０１３１】
一般的に、（i）ＳＩＧフィールド８２０、および（ii）ＳＩＧフィールド８２４の一方または両方が、プリアンブル８００の対応するフィールド８５８とは異なる方法で変調され、これにより、幾つかの実施形態では、受信機が、プリアンブル８００とプリアンブル８０４との間を区別することができる。
【０１３２】
図１１は、或る実施形態における、サイズ６４のＤＦＴ（ＦＦＴ）に対応する帯域幅をもつ通常モードのデータユニットの例におけるプリアンブル８００（図１０）（または類似したデータユニットの類似したプリアンブル）の一部と、サイズ３２のＤＦＴ（ＦＦＴ）に対応する帯域幅をもつ通常モードのデータユニットの例におけるプリアンブル９０２の一部と、サイズ６４のＤＦＴ（ＦＦＴ）に対応する帯域幅をもつ周波数重複モードのデータユニットの例におけるプリアンブル９０４の一部とを示す。周波数重複モードのデータユニットは、サイズ３２のＤＦＴ（ＦＦＴ）に対応する第１の部分９０８ａと、サイズ３２のＤＦＴ（ＦＦＴ）に対応する第２の部分９０８ｂとを含み、或る実施形態では、第２の部分９０８ｂは、第１の部分９０８ａの複製されたバージョンである。
【０１３３】
周波数重複モードのデータユニットのプリアンブル９０４は、ＳＴＦ部分９１２及びＬＴＦ部分９１６と（それぞれがサイズ３２のＤＦＴ（ＦＦＴ）である）、ＳＩＧフィールド部分９２０、９２４、及び、９２８とを含む。各ＬＴＦ部分９１６は、LTS９３２及びLTS９３６を含む。
【０１３４】
サイズ３２のＤＦＴ（ＦＦＴ）の通常モードのデータユニットのプリアンブル９０２は、STF９５０、LTF９５４、およびＳＩＧフィールド９５８、９６２、及び９６６を含む。LTF９５４は、LTS９７０およびLTS９７４を含む。
【０１３５】
一部の実施形態では、LTS９３２および９２８の一方または両方が、プリアンブル９０４を含むデータユニットがサイズ３２のＤＦＴ（ＦＦＴ）の周波数重複モードのデータユニットである、及び／または、プリアンブル９０４を含むデータユニットが、サイズ６４のＤＦＴ（ＦＦＴ）の通常モードのデータユニットではない、と受信機に信号伝達するよう構成されている。これにより、受信機が、データユニット９０４のフォーマットを適時に認識して、ＳＩＧフィールド９２０、９２４、および９２８のそれぞれ異なるサイズ３２のＤＦＴ（ＦＦＴ）部分間の重複を、該ＳＩＧフィールドをデコードする際に活用するよう補助する。例えばいくつかの実施形態では、LTS９３２および９３６の一方または両方が、これらトーンと、LTS８６６および８７０における対応するトーンとの間の相互相関性が、ゼロまたは別の適切な低相関値（例えば１以下）を持つように構成される。例えば、或る実施形態では、LTS９３２および９３６の一方または両方が、対応するLTS８６６および８７０と、直交しており、または略直交している。従って受信機は、プリアンブル９０４を含むデータユニットが、LTS９３２および９３６に基づいてサイズ６４のＤＦＴ（ＦＦＴ）の通常モードのデータユニットではないと検出することができる。幾つかの実施形態では、LTS９３２は、（i）STF９１２の最後に対するLTS９３２の先頭と、（ii）STF８５０の最後に対するLTS８６６の先頭との間の時間対応関係によってLTS８６６に対応している。同様に、LTS９３６は、（i）STF９１２の最後に対するLTS９３６の先頭と、（ii）STF８５０の最後に対するLTS８７０の先頭との間の時間対応関係によってLTS８７０に対応している。
【０１３６】
しかし、他の実施形態では、LTS９３２および９３６は、プリアンブル９０４を含むデータユニットがサイズ３２のＤＦＴ（ＦＦＴ）の周波数重複モードのデータユニットであることも、プリアンブル９０４を含むデータユニットが、サイズ６４のＤＦＴ（ＦＦＴ）の通常モードのデータユニットではないことも、受信機に信号伝達するよう構成されていない。
【０１３７】
或る実施形態では、プリアンブル９０２のLTS９７０が、プリアンブル９０４の各LTS932と同じである。或る実施形態では、プリアンブル９０２のLTS９７４が、プリアンブル９０４の各LTS９３６と同じである。或る実施形態では、LTS９７０およびLTS９７４の一方または両方が、受信機に対して、プリアンブル９０２を含むデータユニットがサイズ６４のＤＦＴ（ＦＦＴ）の通常モードのデータユニットではないことを信号伝達するよう構成されている。
【０１３８】
幾つかの実施形態では、ＬＴＳ９３２および９３６の一方または両方が、これらトーンの、ＬＴＳ９７０および９７４の対応するトーンに対する相互相関性が、ゼロまたは別の適切な低相関値（例えば１以下）を持つように構成される。例えば、或る実施形態では、LTS９３２および９３６の一方または両方が、対応するLTS９７０および９７４と、直交しており、または略直交している。従って、受信機は、或る実施形態では、プリアンブル９０４を含むデータユニットが、LTS932及び９３６に基づいて、サイズ３２のＤＦＴ（ＦＦＴ）の通常モードのデータユニットではないと検出することができる。LTS９３２は、（i）STF９１２の最後に対するLTS９３２の先頭と、（ii）STF９５０の最後に対するLTS９７０の先頭との間の時間対応関係によってLTS９７０に対応している。同様に、LTS９３６は、（i）STF９１２の最後に対するLTS９３６の先頭と、（ii）STF９５０の最後に対するLTS９７４の先頭との間の時間対応関係によってLTS９７４に対応している。
【０１３９】
幾つかの実施形態では、ＳＩＧフィールド９２０、９２４、および９２８の１以上が、プリアンブル９０４を含むデータユニットがサイズ３２のＤＦＴ（ＦＦＴ）の周波数重複モードのデータユニットであること、及び／または、プリアンブル９０４を含むデータユニットが、サイズ３２のＤＦＴ（ＦＦＴ）の通常モードのデータユニットではないことを受信機に信号伝達するよう構成されている。これにより、受信機が、データユニットのフォーマットを適時に認識して、プリアンブル９０４のＳＩＧフィールド９２０、９２４、及び９２８のそれぞれ異なるサイズ３２のＤＦＴ（ＦＦＴ）の部分間の重複を、該ＳＩＧフィールドをデコードする際に活用するよう補助する。例えば、幾つかの実施形態ではＳＩＧフィールド９２０、９２４、および９２８の一以上が、QBPSKを用いて変調されており、時間的に対応しているＳＩＧフィールド９５８、９６２、及び９６６は、BPSKを用いて変調されている。幾つかの実施形態では、プリアンブル９０４のＳＩＧフィールド９２０は、（i）STF９１２の最後に対するＳＩＧフィールド９２０の先頭と、（ii）STF９５０の最後に対するＳＩＧフィールド９５８の先頭との間の時間対応関係によって、プリアンブル９０２のＳＩＧフィールド９５８に、時間的に対応している。同様に、幾つかの実施形態では、プリアンブル９０４のＳＩＧフィールド９２４は、（i）STF９１２の最後に対するＳＩＧフィールド９２４の先頭と、（ii）STF９５０の最後に対するＳＩＧフィールド９６２の先頭との間の時間対応関係によって、プリアンブル９０２のＳＩＧフィールド９６２に、時間的に対応している。同様に、幾つかの実施形態では、プリアンブル９０４のＳＩＧフィールド９２８は、（i）STF９１２の最後に対するＳＩＧフィールド９２８の先頭と、（ii）STF９５０の最後に対するＳＩＧフィールド９６６の先頭との間の時間対応関係によって、プリアンブル９０２のＳＩＧフィールド９６６に、時間的に対応している。
【０１４０】
別の実施形態では、ＳＩＧフィールド９２０は、BPSKを利用して変調され、ＳＩＧフィールド９２８は、QBPSKを利用して変調され、ＳＩＧフィールド９５８および９６６は、BPSKを利用して変調される。或る実施形態では、ＳＩＧフィールド９２４は、QBPSKを利用して変調され、ＳＩＧフィールド９６２は、BPSKを利用して変調される。
【０１４１】
幾つかの実施形態では、ＬＴＳフィールド９３２および９３６の一方または両方は、（例えば上述したように）、受信機に、プリアンブル９０４を、サイズ６４のＤＦＴ（ＦＦＴ）の非周波数重複モードのデータユニットから区別させるよう構成され、プリアンブル９０４の１以上のＳＩＧフィールド（例えばＳＩＧフィールド９２０、９２４、及び９２８）は、サイズ３２のＤＦＴ（ＦＦＴ）の非周波数重複モードのデータユニットの（時間的に）対応しているＳＩＧフィールドと比べて異なる技術（例えば上述したようなもの）を利用して変調され、これにより、受信機は、プリアンブル９０４を、サイズ３２のＤＦＴ（ＦＦＴ）の非周波数重複モードのデータユニットから区別することができる。
【０１４２】
他の実施形態では、ＳＩＧフィールド９２０、９２４、及び９２８の１以上が、BPSKを利用して変調され、時間的に対応しているＳＩＧフィールド９５８、９６２、及び９６６は、QBPSKを利用して変調される。他の同様の変形例も考えられる。概して、幾つかの実施形態では、プリアンブル９０４のＳＩＧフィールド９２０、９２４、及び９２８の少なくとも１つが、プリアンブル９０２のＳＩＧフィールド９５８、９６２、及び９６６のうちの少なくとも１つの（時間的に）対応しているもので利用されるものとは異なる変調技術を利用して変調される。これら実施形態では、受信機は、時間的に対応しているＳＩＧフィールド９２０とＳＩＧフィールド８５８との間の異なる変調を検出することができ、これにより、プリアンブル９０４を、サイズ６４のＤＦＴ（ＦＦＴ）の非周波数重複モードのデータユニットから区別する手助けをする。これら実施形態では、プリアンブル９０４の１つまたは両方のＳＩＧフィールド９２４および９２８は、サイズ３２のＤＦＴ（ＦＦＴ）の非周波数重複モードのデータユニットの（時間的に）対応しているＳＩＧフィールドと比べて異なる技術（例えば上述したようなもの）を利用して変調され、これにより、受信機は、プリアンブル９０４を、サイズ３２のＤＦＴ（ＦＦＴ）の非周波数重複モードのデータユニットから区別することができる。
【０１４３】
幾つかの実施形態では、ネットワークインタフェース１６及びネットワークインタフェース２７等のネットワークインタフェースが、データユニットの残りより高い電力で周波数重複モードのデータユニットのSTFを送信するよう構成される。データユニットの残りより高い電力で周波数重複モードのデータユニットのSTFを送信することによって、少なくともいくつかの実施形態および／またはシナリオではパケット検出感度が高まる。例えば、或る実施形態では、ネットワークインタフェースが、データユニットの残りより３ｄB高い電力で周波数重複モードのデータユニットのSTFを送信するよう構成される。他の実施形態では、ネットワークインタフェースは、データユニットの残りよりｘｄＢ高い電力で周波数重複モードのデータユニットのSTFを送信するよう構成されており、ここでｘは、２、４、５、６等の適切な値、または、任意の適切な非整数値である。
【０１４４】
データユニットの残りより高い電力で周波数重複モードのデータユニットのSTFを送信することによって、少なくともいくつかの実施形態及び／またはシナリオでは、受信機側のアナログデジタル変換回路（ADC）の動作に悪影響が出る可能性がある。というのも、ADCの前の自動ゲイン制御（AGC）ユニットが、STFに基づいてデータユニットについて設定されている場合があるからである。幾つかの実施形態では、ネットワークインタフェースは、無線ネットワークで利用される１以上の最低MCSからなるセットについてのみ、データユニットの残りより高い電力で周波数重複モードのデータユニットのSTFを送信するよう構成される。というのも、少なくともいくつかの実施形態及び／またはシナリオでは、受信機側のADCの動作に対する悪影響は、１以上の最低MCSからなるセットを利用すると最小となるからである。
【０１４５】
上述した例は、サイズ６４のＤＦＴ（ＦＦＴ）の周波数重複モードのデータユニットを形成するために複製される幅３２のＤＦＴ（ＦＦＴ）に関しているが、同様の技術を、幅３２のＤＦＴ（ＦＦＴ）を複製することで形成された、サイズ１２８のＤＦＴ（ＦＦＴ）の周波数重複モードのデータユニット、サイズ２５６のＤＦＴ（ＦＦＴ）の周波数重複モードのデータユニット等を形成するために利用することもできる。上述したような技術は、受信機に、サイズ３２のＤＦＴ（ＦＦＴ）の非周波数重複モードのデータユニットから、及び、サイズ１２８のＤＦＴ（ＦＦＴ）の非周波数重複モードのデータユニット、サイズ２５６のＤＦＴ（ＦＦＴ）非周波数重複モードのデータユニット等から、これらの周波数重複モードのデータユニットを区別させるために利用されてよい。他の実施形態では、サイズ６４のＤＦＴ（ＦＦＴ）、サイズ１２８のＤＦＴ（ＦＦＴ）等のように、サイズ３２のＤＦＴ（ＦＦＴ）以外の適切な幅をもつデータユニットを周波数複製する。
【０１４６】
上述した様々なブロック、動作、及び技術の少なくとも幾つかは、ハードウェア、ファームウェア命令を実行するプロセッサ、ソフトウェア命令を実行するプロセッサ、またはこれらの任意の組合せを利用して実装されてよい。ソフトウェア命令またはファームウェア命令を実行するプロセッサを利用して実装される場合、ソフトウェア命令またはファームウェア命令は、任意の有形、非一時的なコンピュータ可読メモリ、例えば、磁気ディスク、光ディスク、RAM、ROM,フラッシュメモリ等、に格納されてよい。ソフトウェア命令またはファームウェア命令は、プロセッサにより実行されると、プロセッサに様々な動作を実行させる機械可読命令を含んでよい。
【０１４７】
ハードウェアに実装される場合には、ハードウェアは、それぞれ別個のコンポーネント、集積回路、特別用途向け集積回路（ASIC）、プログラム可能論理デバイス等の１以上を含んでよい。
【０１４８】
具体的な例を参照しながら様々な実施形態を記載してきたが、これらはあくまで例示であり限定を意図しておらず、変更、追加、及び／または、削除を開示した実施形態に、請求項の範囲を逸脱せずに行うことができる。
【図１】
2015502710.tif 000003
【図２】
2015502710.tif 000004
【図３Ａ】
2015502710.tif 000005
【図３Ｂ】
2015502710.tif 000006
【図４】
2015502710.tif 000007
【図５】
2015502710.tif 000008
【図６】
2015502710.tif 000009
【図７】
2015502710.tif 000010
【図８】
2015502710.tif 000011
【図９】
2015502710.tif 000012
【図１０】
2015502710.tif 000013
【図１１】
2015502710.tif 000014
【国際調査報告】
2015502710.tif 000015
2015502710.tif 000016
2015502710.tif 000017